(57)【要約】      （修正有）【課題】着用物の襟にクリップを挟むだけの簡単な操作をするだけで扇風機の支持と気流の通路の確保が同時に達成でき，該気流を着用物の内側と外側表面の両方に導くことができる扇風機の取付器具を提供する。【解決手段】少なくとも，人体が着用する着用物を挟持することによって前記着用物から支持されることができる挟持部と，前記挟持部によって支持される風向調整体と，前記挟持部に設けられた少なくとも１以上の接触部と，を有し，かつ，前記着用物の外側から前記風向調整体へ向かう気流を前記風向調整体によって分流することができ，かつ，前記人体の表面又は前記人体が着用する下着の表面に前記接触部を接触させた状態で前記表面と前記挟持部との間を前記風向調整体によって分流された前記気流が通過でき，かつ，前記風向調整体によって分流された前記気流を前記着用物の内側へ導くことができる取付器具を提供することで課題が解決される。【選択図】図１
2019112751.tif 000002
【特許請求の範囲】
【請求項１】
人体が着用する着用物によって支持される腕と，
前記腕によって支持される風向調整体であるウイングと，
を有し，
前記着用物の外側から前記ウイングに向けて送風された気流を前記ウイングで分流して前記着用物の内側へ導くことかできる
取付器具。
【請求項２】
少なくとも１つの請求項１に記載の取付器具と，
前記ウイングに向けて前記気流を送風できる送風部と，
を有し，
前記腕から前記送風部が支持される
又は
前記人体が着用する上着から前記送風部が支持される
装置。
【請求項３】
前記送風部の送風の向きを調整できるように前記送風部が前記腕又は前記上着から支持される
請求項２に記載の装置。
【請求項４】
前記腕が前記着用物を抱持又は挟持できる
請求項２又は３に記載の装置。
【請求項５】
前記腕を前記着用物に掛けること又は吊るすことができる
請求項２から４のいずれかに記載の装置。
【請求項６】
前記着用物が前記人体の上半身又は頭部に着用できる着用物である
請求項２から５のいずれかに記載の装置。
【請求項７】
前記着用物が前記上着又は帽子又はヘルメットである
請求項２から６のいずれかに記載の装置。
【請求項８】
前記腕が少なくとも１以上の穴を形作る又は有する
請求項２から７のいずれかに記載の装置。
【請求項９】
少なくとも１つの前記腕に設けられた少なくとも１以上の足を有する
請求項２から８のいずれかに記載の装置。
【請求項１０】
前記人体又は前記人体が着用する下着に前記足を接触させた状態で
前記人体又は前記下着と前記腕の間を
前記気流が通過できる
請求項９に記載の装置。
【請求項１１】
前記人体又は前記人体が着用する下着に前記足を接触させた状態で
前記人体又は前記下着と前記腕の間にできる空洞を
前記気流が通過できる
請求項９又は１０に記載の装置。
【請求項１２】
前記人体又は前記人体が着用する下着に前記足を接触させた状態で
送風の向きを調整できるように設けられた前記送風部が
前記人体に向けて送風できる
請求項９から１１のいずれかに記載の装置。
【請求項１３】
前記人体又は前記人体が着用する下着に前記足を接触させた状態で
送風の向きを調整できるように設けられた前記送風部が
前記人体の首又は胸又は背中に向けて送風できる
請求項９から１２のいずれかに記載の装置。
【請求項１４】
前記ウイング，前記腕及び前記足の少なくともいずれかによって形作られる穴を有する
請求項９から１３のいずれかに記載の装置。
【請求項１５】
２以上の前記取付器具を有する
請求項２から１４のいずれかに記載の装置。
【請求項１６】
前記送風部に内包又は内設された電動機と，
前記電動機によって駆動される羽根車と，
前記送風部を支持する棒状体と，
前記棒状体に内包又は内設された電源と，
前記電源と前記電動機を電気的に接続する電気伝導体と，
前記棒状体を着脱可能に支持する支持部と，
前記支持部が設けられた外面と，
前記外面を有する前記腕と，
を有する請求項２から１５のいずれかに記載の装置。
【請求項１７】
前記腕に概ねに凹形状又はＵ形状の面を有する
請求項２から１６のいずれかに記載の装置。
【請求項１８】
前記着用物の外側に向けて前記気流を送風しながら前記着用物の内側に前記気流を導くことができる
請求項２から１７のいずれかに記載の装置。
【請求項１９】
前記着用物が前記上着である
請求項１８に記載の装置。
【請求項２０】
前記着用物がヘルメットである
請求項１８に記載の装置。
【請求項２１】
前記着用物の内側に前記気流を導きながら前記人体が着用する別の着用物の内側にも前記気流を導くことができる
請求項２から１７のいずれかに記載の装置。
【請求項２２】
前記上着の内側に前記気流を導きながら前記人体が着用するヘルメットの内側にも前記気流を導くことができる
請求項２から１７のいずれかに記載の装置。
【請求項２３】
１つの環状体の少なくとも２か所を支持又は挟持できる
請求項２から２２のいずれかに記載の装置。
【請求項２４】
請求項２から２３のいずれかに記載の装置に用いる
少なくとも前記腕と前記ウイングを有する
前記取付器具。
【請求項２５】
前記送風部を有さない請求項２４に記載の前記取付器具。
【請求項２６】
請求項１又は２４又は２５に記載の取付器具を有する着用物。
【発明の詳細な説明】
【技術分野】
【０００１】
本発明は，着用物の内側に気流を導くための取付器具，および，該取付器具を有する扇風機に関するものである。
【背景技術】
【０００２】
シャツの前立てに挿して使う衣服内送風機がある（特許文献１図１）。しかし，シャツを着る人の首に対して風を当てることができないという欠点がある。
【０００３】
今持っているヘルメット等帽子をかぶった後や人の頭に装着できるファン付ヘッドバンドがある（特許文献２図１）。しかし，シャツの内部に送風できないという欠点がある。
【０００４】
ヘルメットや帽子に装着する扇風機がある（特許文献３図１）。しかし，シャツの内部に送風できないという欠点がある。
【０００５】
ヘルメットの外部と該内部とを仕切る遮蔽版の端縁を挟持するクリップ部を有する送風機がある（特許文献４図１）。しかし，首まわりやシャツの内部に送風できないという欠点がある。
【０００６】
ファンを収容するポケットを備えた空調装置付衣服がある（特許文献５図１）。しかし，首まわりや頭部に直接送風できないという欠点がある。
【０００７】
胴部の下部に形成された開口部に設けられた外気を吸引するための送風手段を備えた空調衣服がある（特許文献６図１）。しかし，首まわりや頭部に直接送風できないという欠点がある。
【０００８】
人が着用する空調服本体に着脱手段を介して着脱自在に設けるために使用するファンユニットがある（特許文献７図７）。しかし，首まわりや頭部に向けて直接送風できないという欠点がある。
【０００９】
使用者の上着の胸ポケットに取り付けることが容易な携帯型扇風機がある（特許文献８図５）。しかし，上着の内部に送風することができないという欠点がある。
【００１０】
使用者の被服に取り付け可能な取り付け部と，平面に設置可能な支持部を備えた携帯型扇風機がある（特許文献９図４）。しかし，上着の内部に送風することができないという欠点がある。
【００１１】
送風装置につないだパイプを衣服の襟などの開口部を通して衣服の中に引き込み，肌着と皮膚の間に送風口を位置させて，肌に対して風を直接当てる携帯扇風機がある（特許文献１０図１）。しかし，パイプを衣服の内部に引き込むため，着け外しに手間がかかるという欠点がある。
【００１２】
ヘルメットにつける扇風機がある（特許文献１１図１，特許文献１２図１，特許文献１３図３）。しかし，上着の内部に送風することができないという欠点がある。また，着用物につける扇風機がある（特許文献１４図６４）。
【先行技術文献】
【特許文献】
【００１３】
【特許文献１】特開２０１３−２０１８
【特許文献２】特開平９−１５７９３４
【特許文献３】特開２０１３−２５３５９０
【特許文献４】特開２００５−２４０２１１
【特許文献５】特開２０１７−１３３１２１
【特許文献６】特開２００６−３０７３５４
【特許文献７】特開２０１７−１０１３５４
【特許文献８】実用新案登録第３１８１４１２号広報
【特許文献９】実用新案登録第３１７３０１１号広報
【特許文献１０】特開２００６−４６３１０
【特許文献１１】特開２０１７−８９０６０
【特許文献１２】特開２００７−１６３７６
【特許文献１３】特開２０１３−１００６２５
【特許文献１４】特許第６２２１０２４号広報
【発明の概要】
【発明が解決しようとする課題】
【００１４】
装置Ａ１の発明により解決しようとする課題１は，
「１つの送風部からの気流を着用物の内側と外側の両方に導くことができる扇風機に用いる取付器具を提供する」ことである。
【００１５】
装置Ａ２の発明により解決しようとする課題２は，「１つの送風部からの気流を着用物の内側と外側の両方に導くことができる扇風機を提供する」ことである。
【００１６】
装置Ａ３の発明により解決しようとする課題３は，「さらに，前記着用物の外側に露出する人体の部分にも前記気流を導くことを調整できる前記扇風機を提供する」ことである。
【００１７】
装置Ａ４の発明により解決しようとする課題４は，「さらに，着用物を人体が着用した状態で，扇風機を前記着用物に簡単に着脱できる前記扇風機を提供する」ことである。
【００１８】
装置Ａ５の発明により解決しようとする課題５は，「さらに，着用物を人体が着用した状態で，扇風機を前記着用物の縁に簡単に着脱できる前記扇風機を提供する」ことである。
【００１９】
装置Ａ６の発明により解決しようとする課題６は，「さらに，着用物である上着と上半身の間の隙間及び，別の着用物であるヘルメットと頭部の間の隙間に向けて送風できる前記扇風機を提供する」ことである。
【００２０】
装置Ａ７の発明により解決しようとする課題７は，「さらに，扇風機が取り付けられた襟を有する上着を着用する人体が着用する別の着用物であるヘルメットと前記人体の頭部の間の隙間に向けて送風できる前記扇風機，又は，扇風機が取り付けられた縁を有するヘルメットを着用する人体が着用する別の着用物である上着と前記人体の上半身の間の隙間に向けて送風できる前記扇風機を提供する」ことである。
【００２１】
装置Ａ８の発明により解決しようとする課題８は，「さらに，取付対象物である上着と人体の上半身の間の空間に気流を送り込むための入り口の形状が安定的に確保される扇風機，又は，取付対象物であるヘルメットと人体の頭部の間の空間に気流を送り込むための入り口の形状が安定的に確保される前記扇風機を提供する」ことである。
【００２２】
装置Ａ９の発明により解決しようとする課題９は，「さらに，使用者が歩行しているときは上着又は帽子又はヘルメットに着用できる扇風機として使用することができ，使用者が机の前に座ったときは机上に置ける扇風機として使用できる前記扇風機を提供する」ことである。
【００２３】
装置Ａ１０の発明により解決しようとする課題１０は，「さらに，扇風機が人体に接触したときに，扇風機と接触する人体の表面が蒸れない前記扇風機を提供する」ことである。
【００２４】
装置Ａ１１の発明により解決しようとする課題１１は，「さらに，扇風機が人体に接触したときに，人体と扇風機の間の狭い隙間が蒸れない前記扇風機を提供する」ことである。
【００２５】
装置Ａ１２の発明により解決しようとする課題１２は，「さらに，人体が動き回っても気流を安定して着用物の内側及び人体に導くことができる前記扇風機を提供する」ことである。
【００２６】
装置Ａ１３の発明により解決しようとする課題１３は，「さらに，人体が動き回っても気流を安定して着用物の内側及び人体の首や背中に導くことができる前記扇風機を提供する」ことである。
【００２７】
装置Ａ１４の発明により解決しようとする課題１４は，「さらに，人体が動き回っても取付対象物である着用物と人体の間の空間に気流を送り込むための入り口の形状が安定的に確保される前記扇風機を提供する」ことである。
【００２８】
装置Ａ１５の発明により解決しようとする課題１５は，「さらに，人体が着用する上着とヘルメットのそれぞれに１つずつ取付器具をつけて，前記上着又は前記ヘルメットのいずれかにつけた前記取付器具によって支持される送風部から送風される気流を，それぞれの前記取付器具によって前記上着の内側及び前記ヘルメットの内側に導くことができる前記扇風機を提供する」ことである。
【００２９】
装置Ａ１６の発明により解決しようとする課題１６は，「さらに，扇風機としての装置を目視できない状況下であっても，襟の後ろ側を抱持させることが容易な扇風機を提供し，さらに，扇風機の腕を取付対象物である上着の襟につけたままで送風部を腕から取り外して手持ち式扇風機として使える前記扇風機を提供する」ことである。
【課題を解決するための手段】
【００３０】
本明細書において「腕」とは，実施例１に記載の取付器具が有する「腕」であって，人体の腕ではない。本発明の装置を身に着ける目的で「腕」に着用物を抱持させたときは，「腕」は「抱持部」である。また，本発明の装置を身に着ける目的で「腕」に着用物を挟持させたときは，「腕」は「挟持部」である。よって，本発明の装置を使用する際の状態に応じて，「腕」を「抱持部」又は「挟持部」と読み替えてもよい。
【００３１】
本明細書において「足」とは，実施例１に記載の取付器具が有する足であって，人体の足ではない。本発明の装置を身に着けたときは，「足」は人体又は下着に接触する「接触部」である。また，本発明の装置を机面に置いたときは，「足」は机面に接触する「接触部」でもある。よって，本発明の装置を使用する際の状態に応じて，「足」を「接触部」と読み替えてもよい。
【００３２】
本明細書において「上着」とは「人体の腰，人体の首，及び人体の腰から首の間の部分に着用することができるあらゆる着用物の総称」であると定義する。
【００３３】
本明細書において「下着」とは「上着と人体の間に着用することができるあらゆる着用物の総称」であると定義する。
【００３４】
本明細書において「帽子」とは「人体の頭部に着用することができるあらゆる着用物の総称」である定義する。
【００３５】
本明細書において「襟」とは「上着から頭部を露出させるために設けられた上着の縁」であり，「襟台」「衿」「台衿」は襟である。Ｔシャツに設けられた頭部通過用の穴の縁も襟である。
【００３６】
請求項１から２６に係る発明である装置Ａ１からＡ２６は実施例１において詳細に説明されている。
【００３７】
請求項１に記載の装置Ａ１は，
「人体が着用する着用物によって支持される腕と，
前記腕によって支持される風向調整体であるウイングと，
を有し，
前記着用物の外側から前記ウイングに向けて送風された気流を前記ウイングで分流して前記着用物の内側へ導くことかできる
取付器具」である。
【００３８】
請求項２に記載の装置Ａ２は，
「少なくとも１つの装置Ａ１に記載の取付器具と，
前記ウイングに向けて前記気流を送風できる送風部と，
を有し，
前記腕から前記送風部が支持される
又は
前記人体が着用する上着から前記送風部が支持される
装置」である。
【００３９】
請求項３に記載の装置Ａ３は，
「前記送風部の送風の向きを調整できるように前記送風部が前記腕又は前記上着から支持される
装置Ａ２に記載の装置」である。
【００４０】
請求項４に記載の装置Ａ４は，
「前記腕が前記着用物を抱持又は挟持できる
装置Ａ２又はＡ３に記載の装置」である。
【００４１】
請求項５に記載の装置Ａ５は，
「前記腕を前記着用物に掛けること又は吊るすことができる
装置Ａ２からＡ４のいずれかに記載の装置」である。
【００４２】
請求項６に記載の装置Ａ６は，
「前記着用物が前記人体の上半身又は頭部に着用できる着用物である
装置Ａ２からＡ５のいずれかに記載の装置」である。
【００４３】
請求項７に記載の装置Ａ７は，
「前記着用物が前記上着又は帽子又はヘルメットである
装置Ａ２からＡ６のいずれかに記載の装置」である。
【００４４】
請求項８に記載の装置Ａ８は，
「前記腕が少なくとも１以上の穴を形作る又は有する
装置Ａ２からＡ７のいずれかに記載の装置」である。
【００４５】
請求項９に記載の装置Ａ９は，
「少なくとも１つの前記腕に設けられた少なくとも１以上の足を有する
装置Ａ２からＡ８のいずれかに記載の装置」である。
【００４６】
請求項１０に記載の装置Ａ１０は，
「前記人体又は前記人体が着用する下着に前記足を接触させた状態で
前記人体又は前記下着と前記腕の間を
前記気流が通過できる
装置Ａ９に記載の装置」である。
【００４７】
請求項１１に記載の装置Ａ１１は，
「前記人体又は前記人体が着用する下着に前記足を接触させた状態で
前記人体又は前記下着と前記腕の間にできる空洞を
前記気流が通過できる
装置Ａ９又はＡ１０に記載の装置」である。
【００４８】
請求項１２に記載の装置Ａ１２は，
「前記人体又は前記人体が着用する下着に前記足を接触させた状態で
送風の向きを調整できるように設けられた前記送風部が
前記人体に向けて送風できる
装置Ａ９からＡ１１のいずれかに記載の装置」である。
【００４９】
請求項１３に記載の装置Ａ１３は，
「前記人体又は前記人体が着用する下着に前記足を接触させた状態で
送風の向きを調整できるように設けられた前記送風部が
前記人体の首又は胸又は背中に向けて送風できる
装置Ａ９からＡ１２のいずれかに記載の装置」である。
【００５０】
請求項１４に記載の装置Ａ１４は，
「前記ウイング，前記腕及び前記足の少なくともいずれかによって形作られる穴を有する
装置Ａ９からＡ１３のいずれかに記載の装置」である。
【００５１】
請求項１５に記載の装置Ａ１５は，
「２以上の前記取付器具を有する
装置Ａ２からＡ１４のいずれかに記載の装置」である。
【００５２】
請求項１６に記載の装置Ａ１６は，
「前記送風部に内包又は内設された電動機と，
前記電動機によって駆動される羽根車と，
前記送風部を支持する棒状体と，
前記棒状体に内包又は内設された電源と，
前記電源と前記電動機を電気的に接続する電気伝導体と，
前記棒状体を着脱可能に支持する支持部と，
前記支持部が設けられた外面と，
前記外面を有する前記腕と，
を有する装置Ａ２からＡ１５のいずれかに記載の装置」である。
【００５３】
請求項１７に記載の装置Ａ１７は，
「前記腕に概ねに凹形状又はＵ形状の面を有する
装置Ａ２からＡ１６のいずれかに記載の装置」である。
【００５４】
請求項１８に記載の装置Ａ１８は，
「前記着用物の外側に向けて前記気流を送風しながら前記着用物の内側に前記気流を導くことができる
装置Ａ２からＡ１７のいずれかに記載の装置」である。
請求項１９に記載の装置Ａ１９は，
「前記着用物が前記上着である
装置Ａ１８に記載の装置」である。
請求項２０に記載の装置Ａ２０は，
「前記着用物がヘルメットである
装置Ａ１８に記載の装置」である。
【００５５】
請求項２１に記載の装置Ａ２１は，
「前記着用物の内側に前記気流を導きながら前記人体が着用する別の着用物の内側にも前記気流を導くことができる
装置Ａ２からＡ１７のいずれかに記載の装置」である。
【００５６】
請求項２２に記載の装置Ａ２２は，
「前記上着の内側に前記気流を導きながら前記人体が着用するヘルメットの内側にも前記気流を導くことができる
装置Ａ２からＡ１７のいずれかに記載の装置」である。
【００５７】
請求項２３に記載の装置Ａ２３は，
「１つの環状体の少なくとも２か所を支持又は挟持できる
装置Ａ２からＡ２２のいずれかに記載の装置」である。
【００５８】
請求項２４に記載の装置Ａ２４は，
「装置Ａ２からＡ２３のいずれかに記載の装置に用いる
少なくとも前記腕と前記ウイングを有する
前記取付器具」である。
請求項２５に記載の装置Ａ２５は，
「前記送風部を有さない装置Ａ２４に記載の前記取付器具」である。
【００５９】
請求項２６に記載の装置Ａ２６は，
「装置Ａ１又はＡ２４又はＡ２５に記載の取付器具を有する着用物」である。
【発明の効果】
【００６０】
請求項１から２６に係る装置Ａ１からＡ２６の効果は実施例１において詳細に説明されている。
【００６１】
請求項１に記載の装置Ａ１によれば，
「人体が着用する着用物によって支持される腕と，
前記腕によって支持される風向調整体であるウイングと，
を有し，
前記着用物の外側から前記ウイングに向けて送風された気流を前記ウイングで分流して前記着用物の内側へ導くことかできる
取付器具」が提供される。
これにより，少なくとも「１つの送風部からの気流を着用物の内側と外側の両方に導くことができる扇風機に用いる取付器具を提供する」という課題を解決することができる。
【００６２】
当業者が利用できる特許文献１４の図６５に記載の「人体が着用する帽子から支持される扇風機」は，前記人体が着用する上着の襟に対して外部から気流を当てることはできるが，該上着の内部に大量の気流を導くことは困難であった。これに対し，前記取付器具を該上着の襟に抱持させ，かつ，特許文献１４の図６５に記載の扇風機を支持する帽子を前記人体の頭部に着用することによって，該扇風機が送風する気流を前記取付器具のウイングに対して当てることができる。すなわち，送風部を有さない前記取付器具であっても，公知の該扇風機と組み合わせて用いることによって，上着の内部に大量の気流を導くことができるようになる効果を得ることができる。
【００６３】
請求項２に記載の装置Ａ２によれば，
「少なくとも１つの装置Ａ１に記載の取付器具と，
前記ウイングに向けて前記気流を送風できる送風部と，
を有し，
前記腕から前記送風部が支持される
又は
前記人体が着用する上着から前記送風部が支持される
装置」が提供される。
これにより，少なくとも「１つの送風部からの気流を着用物の内側と外側の両方に導くことができる扇風機を提供する」という課題を解決することができる。
【００６４】
請求項３に記載の装置Ａ３によれば，
「前記送風部の送風の向きを調整できるように前記送風部が前記腕又は前記上着から支持される
装置Ａ２に記載の装置」が提供される。
これにより，少なくとも「さらに，前記着用物の外側に露出する人体の部分にも前記気流を導くことを調整できる前記扇風機を提供する」という課題を解決することができる。
【００６５】
請求項４に記載の装置Ａ４によれば，
「前記腕が前記着用物を抱持又は挟持できる
装置Ａ２又はＡ３に記載の装置」が提供される。
これにより，少なくとも「さらに，着用物を人体が着用した状態で，扇風機を前記着用物に簡単に着脱できる前記扇風機を提供する」という課題を解決することができる。
【００６６】
請求項５に記載の装置Ａ５によれば，
「前記腕を前記着用物に掛けること又は吊るすことができる
装置Ａ２からＡ４のいずれかに記載の装置」が提供される。
これにより，少なくとも「さらに，着用物を人体が着用した状態で扇風機を前記着用物の縁に簡単に着脱できる前記扇風機を提供する」という課題を解決することができる。
【００６７】
請求項６に記載の装置Ａ６によれば，
「前記着用物が前記人体の上半身又は頭部に着用できる着用物である
装置Ａ２からＡ５のいずれかに記載の装置」が提供される。
これにより，少なくとも「さらに，着用物である上着と上半身の間の隙間及び，別の着用物であるヘルメットと頭部の間の隙間に向けて送風できる前記扇風機を提供する」という課題を解決することができる。
【００６８】
請求項７に記載の装置Ａ７によれば，
「前記着用物が前記上着又は帽子又はヘルメットである
装置Ａ２からＡ６のいずれかに記載の装置」が提供される。
これにより，少なくとも「さらに，扇風機が取り付けられた襟を有する上着を着用する人体が着用する別の着用物であるヘルメットと前記人体の頭部の間の隙間に向けて送風できる前記扇風機，又は，扇風機が取り付けられた縁を有するヘルメットを着用する人体が着用する別の着用物である上着と前記人体の上半身の間の隙間に向けて送風できる前記扇風機を提供する」という課題を解決することができる。
【００６９】
請求項８に記載の装置Ａ８によれば，
「前記腕が少なくとも１以上の穴を形作る又は有する
装置Ａ２からＡ７のいずれかに記載の装置」が提供される。
これにより，少なくとも「さらに，取付対象物である上着と人体の上半身の間の空間に気流を送り込むための入り口の形状が安定的に確保される扇風機，又は，取付対象物であるヘルメットと人体の頭部の間の空間に気流を送り込むための入り口の形状が安定的に確保される前記扇風機を提供する」という課題を解決することができる。
【００７０】
請求項９に記載の装置Ａ９によれば，
「少なくとも１つの前記腕に設けられた少なくとも１以上の足を有する
装置Ａ２からＡ８のいずれかに記載の装置」が提供される。
これにより，少なくとも「さらに，使用者が歩行しているときは上着又は帽子又はヘルメットに着用できる扇風機として使用することができ，使用者が机の前に座ったときは机上に置ける扇風機として使用できる前記扇風機を提供する」という課題を解決することができる。
【００７１】
請求項１０に記載の装置Ａ１０によれば，
「前記人体又は前記人体が着用する下着に前記足を接触させた状態で
前記人体又は前記下着と前記腕の間を
前記気流が通過できる
装置Ａ９に記載の装置」が提供される。
これにより，少なくとも「さらに，扇風機が人体に接触したときに，扇風機と接触する人体の表面が蒸れない前記扇風機を提供する」という課題を解決することができる。
【００７２】
請求項１１に記載の装置Ａ１１によれば，
「前記人体又は前記人体が着用する下着に前記足を接触させた状態で
前記人体又は前記下着と前記腕の間にできる空洞を
前記気流が通過できる
装置Ａ９又はＡ１０に記載の装置」が提供される。
これにより，少なくとも「さらに，扇風機が人体に接触したときに，人体と扇風機の間の狭い隙間が蒸れない前記扇風機を提供する」という課題を解決することができる。
【００７３】
請求項１２に記載の装置Ａ１２によれば，
「前記人体又は前記人体が着用する下着に前記足を接触させた状態で
送風の向きを調整できるように設けられた前記送風部が
前記人体に向けて送風できる
装置Ａ９からＡ１１のいずれかに記載の装置」が提供される。
これにより，前記人体に接触する前記足によって安定的に支持される前記腕の前記人体に対する向きは，前記人体が動き回っても安定するようになる。このため，前記腕から支持される前記ウイングと前記送風部の前記人体に対する向きを安定的に支持することができる効果を得ることができる。よって，少なくとも「さらに，人体が動き回っても気流を安定して着用物の内側及び人体に導くことができる前記扇風機を提供する」という課題を解決することができる。
【００７４】
請求項１３に記載の装置Ａ１３によれば，
「前記人体又は前記人体が着用する下着に前記足を接触させた状態で
送風の向きを調整できるように設けられた前記送風部が
前記人体の首又は胸又は背中に向けて送風できる
装置Ａ９からＡ１２のいずれかに記載の装置」が提供される。
これにより，少なくとも「さらに，人体が動き回っても気流を安定して着用物の内側及び人体の首や背中に導くことができる前記扇風機を提供する」という課題を解決することができる。
【００７５】
請求項１４に記載の装置Ａ１４によれば，
「前記ウイング，前記腕及び前記足の少なくともいずれかによって形作られる穴を有する
装置Ａ９からＡ１３のいずれかに記載の装置」が提供される。
これにより，少なくとも「さらに，人体が動き回っても取付対象物である着用物と人体の間の空間に気流を送り込むための入り口の形状が安定的に確保される前記扇風機を提供する」という課題を解決することができる。
【００７６】
請求項１５に記載の装置Ａ１５によれば，
「２以上の前記取付器具を有する
装置Ａ２からＡ１４のいずれかに記載の装置」が提供される。
これにより，少なくとも「さらに，人体が着用する上着とヘルメットのそれぞれに１つずつ取付器具をつけて，前記上着又は前記ヘルメットのいずれかにつけた前記取付器具によって支持される送風部から送風される気流を，それぞれの前記取付器具によって前記上着の内側及び前記ヘルメットの内側に導くことができる前記扇風機を提供する」という課題を解決することができる。
【００７７】
請求項１６に記載の装置Ａ１６によれば，
「前記送風部に内包又は内設された電動機と，
前記電動機によって駆動される羽根車と，
前記送風部を支持する棒状体と，
前記棒状体に内包又は内設された電源と，
前記電源と前記電動機を電気的に接続する電気伝導体と，
前記棒状体を着脱可能に支持する支持部と，
前記支持部が設けられた外面と，
前記外面を有する前記腕と，
を有する装置Ａ２からＡ１５のいずれかに記載の装置」が提供される。
これにより，「さらに，扇風機としての装置を目視できない状況下であっても，襟の後ろ側を抱持させることが容易な扇風機を提供し，さらに，扇風機の腕を取付対象物である上着の襟につけたままで送風部を腕から取り外して手持ち式扇風機として使える前記扇風機を提供する」という課題を解決することができる。
【００７８】
請求項１７に記載の装置Ａ１７によれば，
「前記腕に概ねに凹形状又はＵ形状の面を有する
装置Ａ２からＡ１６のいずれかに記載の装置」が提供される。
これにより，前記気流が前記空洞内を通過しやすくなる効果を得ることができる。
【００７９】
請求項１８に記載の装置Ａ１８によれば，
「前記着用物の外側に向けて前記気流を送風しながら前記着用物の内側に前記気流を導くことができる
装置Ａ２からＡ１７のいずれかに記載の装置」が提供される。
請求項１９に記載の装置Ａ１９によれば，
「前記着用物が前記上着である
装置Ａ１８に記載の装置」が提供される。
請求項２０に記載の装置Ａ２０によれば，
「前記着用物がヘルメットである
装置Ａ１８に記載の装置」が提供される。
【００８０】
請求項２１に記載の装置Ａ２１によれば，
「前記着用物の内側に前記気流を導きながら前記人体が着用する別の着用物の内側にも前記気流を導くことができる
装置Ａ２からＡ１７のいずれかに記載の装置」が提供される。
【００８１】
請求項２２に記載の装置Ａ２２によれば，
「前記上着の内側に前記気流を導きながら前記人体が着用するヘルメットの内側にも前記気流を導くことができる
装置Ａ２からＡ１７のいずれかに記載の装置」が提供される。
【００８２】
請求項２３に記載の装置Ａ２３によれば，
「１つの環状体の少なくとも２か所を支持又は挟持できる
装置Ａ２からＡ２２のいずれかに記載の装置」が提供される。
これにより，首掛け式の携帯扇風機として使用できる顕著な効果が得られることが，実施例２に詳細に記述されている。
【００８３】
請求項２４に記載の装置Ａ２４によれば，
「装置Ａ２からＡ２３のいずれかに記載の装置に用いる
少なくとも前記腕と前記ウイングを有する
前記取付器具」が提供される。
請求項２５に記載の装置Ａ２５によれば，
「前記送風部を有さない装置Ａ２４に記載の前記取付器具」が提供される。
【００８４】
請求項２６に記載の装置Ａ２６によれば，
「装置Ａ１又はＡ２４又はＡ２５に記載の取付器具を有する着用物」が提供される。
【００８５】
以上により，課題１から１６の全てが解決される。
【図面の簡単な説明】
【００８６】
【図１】送風部３０１を支持する取付器具６２２を人体６０９によって着用された上着６２０の襟６２１に掛けた様子の図である。
【図２】腕６２３とウイング６２４と送風部３０１を有する取付器具６２２の図である。
【図３】上着６２０を抱持する取付器具６２２のウイング６２４と，ヘルメット６４０を抱持する取付器具６４２のウイング６４４の両方に対して送風部３０１が送風する気流を当てることができることを示す図である。送風部３０１から送風される気流を示す矢印はグレーに塗られている。
【図４】上着６２０の縁６２１又は襟６２１を抱持する取付器具６２２の腕６２３の内側部分６２７と人体６０９の間にできる空洞６３３を送風部３０１から送風された気流が通過できることを示すための背面及び右側面を表す図である。送風部３０１から送風される気流を示す矢印はグレーに塗られている。
【図５】上着６２０の縁６２１又は襟６２１を抱持する取付器具６２２の腕６２３の内側部分６２７と人体６０９の間にできる空洞６３３を送風部３０１から送風された気流が通過できることを示すための背面及び底面を表す図である。送風部３０１から送風される気流を示す矢印はグレーに塗られている。
【図６】上着６２０の襟６２１を抱持する取付器具６２２のウイング６２４に向けて送風された気流が腕６２３と人体６０９の間に形成された空洞６３３を通過して腕６２３の端に設けられた足６３２の間の隙間６３４や腕６２３の端と足６３２によって形成される穴６３７を通過して上着６２０の内側に噴出する様子の図である。図６には上着６２０は描かれていないが，取付器具６２２は上着６２０の襟６２１を抱持しているものとし，上着６２０の内部における気流が描かれている。気流を示す矢印はグレーに塗られている。
【図７】着用物である上着６２０の縁６２１又は襟６２１を抱持できる腕６２３と，腕６２３の上に支持される風向調整体であるウイング６２４と，腕６２３の内側部分６２７の両側の端６８４に設けられた足６３２と，腕６２３の内側部分６２７の先端６８５に設けられた足６３２と，腕６２３の内側部分６２７の端６８４／６８５と足６３２によって形成される穴６３７と，腕６２３と足６３２とウイング６２４によって形成される穴６３８と，腕６２３の外側部分６２６に回動可能に設けられた支持部２１０と，を有する取付器具６２２の正面図である。
【図８】図７に記載の取付器具６２２の左面図である。この取付器具６２２は左右対称であるため，右面図は図７の左右を反転させた図と同じである。
【図９】図７に記載の取付器具６２２の背面図である。
【図１０】図９に記載の取付器具６２２のＡ−Ａ線断面図である。腕６２３の内側部分６２７の内面６３１が概ねに凹形状又はＵ形状の面６３９を有することを表す断面６８０はグレーに塗られている。
【図１１】図７に記載の取付器具６２２の平面図である。
【図１２】図７に記載の取付器具６２２の底面図である。
【図１３】図７に記載の取付器具６２２の正面，平面及び左側面を表す図である。
【図１４】図７に記載の取付器具６２２の正面，底面及び左側面を表す図である。
【図１５】図７に記載の取付器具６２２の背面，平面及び左側面を表す図である。
【図１６】図７に記載の取付器具６２２の背面，底面及び左側面を表す図である。
【図１７】取付器具６２２の腕６２３の外側部分６２６の外面６２８に設けられた支持部２１０の軸受となる穴２３３に支持部２１０の棒持台２４４が備える軸を嵌合させることで回動できる可動部２１５を備える支持部２１０の棒持台２４４の棒持面２４５に回動可能かつスライド可能に挿入された棒状体３０８が送風部３０１を支持することを示す分解図である。
【図１８】取付器具６２２の腕６２３の外側部分６２６から支持される送風部３０１と腕６２３の外側部分６２６の間にある可動な部分の動きを説明する図である。
【図１９】取付器具６２２の腕６２３は弾力性のある部材でできており，適度な力６８７を加えることによって，腕６２３の外側部分６２６と腕６２３の内側部分６２７の間６８６を開閉することができることを示す図である。
【図２０】机面６００に接触する足６３２によって支持される腕６２３の上に回動可能に支持される支持部２１０によって回動可能かつスライド可能に支持される棒状体３０８によって蝶動可能に支持される送風部３０１を有する図１８に記載の扇風機３００は，机面６００の上に立った状態で机面６００に接触する足６３２の位置を動かさずに図１８に記載の可動な部分だけを動かすことにより送風部３０１の向きをあらゆる方位に向けることができる特徴を有することを示す図である。
【図２１】取付部分６２２の腕６２３の内側部分６２７の両側の端６８４及び先端６８５に設けられた３つの足６３２は机面６００に接触させたときにぐらつかないで置くことができることを示す図である。
【図２２】人体６０９が着用する上着６２０の襟６２１から支持される送風部３０１が送風する気流が人体６０９の頭部が着用するヘルメット６４０と頭部の間の隙間６３５に流入することができることを示す図である。
【図２３】人体６０９が着用する上着６２０の襟６２１を抱持する取付器具６２２の支持部２１０から着脱可能に支持される棒状体３０８から支持される送風部３０１を有する扇風機３００は取付器具６２２を襟６２１に着けた状態のままで支持部２１０から棒状体３０８を離脱させて棒状体３０８を手持ち部とする携帯扇風機として使用できることを示す図である。
【図２４】図１に記載のヘルメット６４０の縁６４１を抱持する取付器具６４２の正面図である。
【図２５】図１に記載のヘルメット６４０の縁６４１を抱持する取付器具６４２の正面図である図２４のＢ−Ｂ線断面図である。断面はグレーで塗られている。
【図２６】図１に記載のヘルメット６４０の縁６４１を抱持する取付器具６４２の斜視図である。
【図２７】図１に記載のヘルメット６４０の縁６４１を抱持する取付器具６４２の斜視図である。
【図２８】環状体６７１を有する吊持具６７０と，吊持具６７０の少なくとも２か所で支持される図７から１６に記載の支持台６６０と，支持台６６０から着脱可能に支持される棒状体３０８と，棒状体３０８から支持される送風部３０１と，を有する図１７から２１に記載の携帯扇風機である。
【図２９】人体６０９の首に掛けられた吊持具６７０から支持される支持台６６０を上着６２０の胸部に接触させた状態で送風部３０１を上着６２０に接触させずに送風部３０１を人体６０９の胸又は首に向けて送風できる図２８に記載の扇風機である。
【図３０】棒状体３０８を支持する支持部２１０を支持台６６０に有し，人体６０９の首に掛けられた吊持具６７０から支持される支持台６６０を上着６２０に接触させた状態で送風部３０１を支持部２１０の上に支持できる図２８から２９に記載の扇風機である。
【図３１】環状体６７１から支持される輪状体６７２又は糸状体６７２を有する吊持具６７０と，輪状体６７２又は糸状体６７２が通過できる穴６７３が設けられた棒状体３０８又は送風部３０１と，を有する図２８から３０に記載の扇風機を首から吊り下げた状態で安全に支持台６６０に着脱する方法を説明する図である。
【図３２】環状体６７１を開環することなく，支持台６６０に設けられたスライダー６６１に対して環状体６７１を着脱できる図７から１６に記載の支持台６６０の図である。
【図３３】吊持具６７０の少なくとも２か所でスライド可能に支持される図３２に記載の支持台６６０の正面図である。
【図３４】吊持具６７０の少なくとも２か所でスライド可能に支持される図３２に記載の支持台６６０の背面図である。
【図３５】支持台６６０の支持部２１０が回動可能に支持する棒状体３０８を支持部２１０に対して回動させたときに，送風部３０１のファンガード３０５が支持台６６０にぶつかることなく棒状体３０８を３６０度回動できる図２８から３０に記載の扇風機の図である。
【図３６】棒状体３０８と送風部３０１の間に可動な部品である蝶番部３０７を有する図２８から３０に記載の扇風機の図である。
【図３７】支持台６６０において支持部２１０を回動できる図２８から３０に記載の扇風機は，棒状体３０８と送風部３０１の間に可動な部品がなくても，送風部３０１が人体６０９の顔に向くように調整することができることを示す正面及び平面の図である。
【図３８】支持台６６０において支持部２１０を回動できる図２８から３０に記載の扇風機は，棒状体３０８と送風部３０１の間に可動な部品がなくても，送風部３０１が人体６０９の顔に向くように調整することができることを示す正面，平面及び右側面の図である。
【図３９】支持台６６０を上着６２０に接触させずに支持台６６０を吊持具６７０のみによって吊持したときに棒状体３０８の最も低い部分の位置６８２が送風部３０１の最も低い部分の位置６８１よりも低くい状態で支持台６６０を吊持具６７０から吊持することができる装置は，送風部３０１よりも棒状体３０８の方が低い位置にあるので，支持台６６０の背面が胸の方を向いた状態で吊持される。このため，そのまま吊持具６７０を首に掛けたときに，棒状体３０８の上に送風部３０１が配置されやすくなる。よって，手持式機器６１６を正しい向き（送風部３０１が上で棒状体３０８が下）で首に掛けることが容易になる効果を得ることができることを示す図である。
【図４０】支持台を上着６２０に接触させずに支持台を吊持具６７０のみによって吊持したときに棒状体３０８の最も低い部分の位置６８２が送風部３０１の最も低い部分の位置６８１よりも高い状態で前記支持台を吊持具６７０から吊持することができる装置は，送風部３０１よりも棒状体３０８の方が高い位置にあるので，支持台６６０の背面が胸の方を向いていない状態で吊持される。このため，そのまま吊持具６７０を首に掛けたときに，棒状体３０８の上に送風部３０１が配置されにくくなる（手持式機器６１６がひっくり返った状態である「送風部３０１が下で棒状体３０８が上の状態」に配置されやすくなる）。よって，手持式機器６１６を正しい向き（送風部３０１が上で棒状体３０８が下）で首に掛けることは困難になることを示す図である。
【発明を実施するための形態】
【実施例１】
【００８７】
図１に示すように，送風部３０１を支持する取付器具６２２を人体６０９が着用する上着６２０の襟６２１に掛けることができる。
【００８８】
人体６０９の上半身が着用する着用物である上着６２０の縁６２１又は襟６２１を抱持する腕６２３の内側部分６２７は上着６２０と人体６０９の間に挿入される。人体６０９が人体６０９と上着６２０の間に下着６５５を着用しているときは，腕６２３の内側部分６２７は上着６２０と下着６５５の間又は下着６５５と人体６０９の間に挿入されている。
【００８９】
腕６２３の内側部分６２７は上着６２０の内側から上着６２０又は下着６５５に接触する。腕６２３の外側部分６２６は上着６２０の外側から上着６２０に接触する。
【００９０】
腕６２３とウイング６２４を有する取付器具６２２は上着６２０から支持される。上着６２０から支持される取付器具６２２の腕６２３の外側部分６２６から支持される送風部３０１は上着６２０から支持される。
【００９１】
取付器具６２２のウイング６２４は上着６２０の縁６２１又は襟６２１の上に配置される。風向調整体であるウイング６２４の風向調整面６２５は送風部３０１に向けられている。ウイング６２４は人体６０９の首又は頭部又は背中又は上半身と送風部３０１の間に位置する。送風部３０１は上着６２０の外側に配置され，送風部３０１が送風する気流をウイング６２４及び人体６０９（首又は背中）に同時に向けることができる。
【００９２】
取付器具６２２の腕６２３が上着６２０の外側と内側からクリップ式に挟むようにようにして襟６２１を抱持する。このため，人体６０９が上着６２０を着用した状態のままで，取付器具６２２を簡単に上着６２０に着脱できる。
【００９３】
人体６０９の頭部が着用する着用物であるヘルメット６４０の縁６４１を抱持する腕６４３の内側部分６４７はヘルメット６４０と人体６０９（頭部）の間に挿入される。
【００９４】
腕６４３の内側部分６４７はヘルメット６４０の内側からヘルメット６４０に接触する。腕６４３の外側部分６４６はヘルメット６４０の外側からヘルメット６４０に接触する。
【００９５】
腕６４３とウイング６４４を有する取付器具６４２はヘルメット６４０から支持される。図１において，ヘルメット６４０から支持される取付器具６４２は送風部を有さない。
【００９６】
取付器具６４２のウイング６４４はヘルメット６４０の縁６４１の下に配置される。風向調整体であるウイング６４４の風向調整面６４５は送風部３０１に向けられている。ウイング６４４は人体６０９（首又は頭部）と送風部３０１の間に位置する。送風部３０１はヘルメット６４０から離れた位置に配置され，送風部３０１が送風する気流をウイング６４４に対して当てることができる。
【００９７】
取付器具６４２の腕６４３がヘルメット６４０の外側と内側からクリップ式に挟むようにようにして縁６４１を抱持する。このため，人体６０９がヘルメット６４０を着用した状態のままで，取付器具６４２を簡単にヘルメット６４０に着脱できる。
【００９８】
図２に示す取付器具６２２は，腕６２３とウイング６２４と送風部３０１を有する取付器具６２２である。
【００９９】
腕６２３の外側部分６２６と腕６２３の内側部分６２７を腕６２３は有する。腕６２３の外側部分６２６と腕６２３の内側部分６２７の間の連結部分６８３はウイング６２４を支持する。腕６２３の内側部分６２７に設けられた足６３２がウイング６２４を支持することにより腕６２３の内側部分６２７はウイング６２４を支持する。
【０１００】
腕６２３の外側部分６２６から支持される送風部３０１は腕６２３の外側部分６２６に回動可能に定設された支持部２１０を介して腕６２３の外側部分６２６から支持される。
【０１０１】
外面６２８に対して垂直な法線よりも斜め下の角度から外面６２８に対して気流が当たるように送風部３０１の角度を外面６２８に対して傾けるように支持部２１０が送風部３０１を支持する。このため，送風部３０１が送風する気流が腕６２３の外側部分６２６の外面６２８に対して当たった後の気流の向きは上方向に向かいやすくなり，人体６０９の顔や頭部に風が届きやすくなる効果を得る。
【０１０２】
なお，取付器具６２２をヘルメット６４０の縁６４１に抱持させて送風部３０１を腕６２３から支持させたときは，ウイング６２４に対して当てられた気流はヘルメット６４０の内部に流入する。
【０１０３】
図３に示す装置は，上着６２０を抱持する取付器具６２２のウイング６２４とヘルメット６４０を抱持する取付器具６４２のウイング６４４の両方に対して，上着６２０の襟６２１から支持される送風部３０１が送風する気流を当てることができる。
【０１０４】
送風部３０１から送風される気流は上着６２０の縁６２１又は襟６２１を抱持する腕６２３の上に配置されるウイング６２４の風向調整面６２５に対して当たる。これにより，気流の一部は上着６２０の内部へ導かれる。
【０１０５】
送風部３０１から送風される気流は上着６２０の縁６２１又は襟６２１を外側から抱持する腕６２３の外側部分６２６の外面６２８及びその周辺に対して当たる。これにより，気流の一部は上着６２０の外部へ導かれる。
【０１０６】
送風部３０１から送風される気流はヘルメット６４０の縁６４１を抱持する腕６４３の下に配置されるウイング６４４の風向調整面６４５に対して当たる。これにより，気流の一部はヘルメット６４０の内部へ導かれる。
【０１０７】
送風部３０１から送風される気流はヘルメット６４０の縁６４１をヘルメット６４０の外側から抱持する腕６４３の外側部分６４６の外面６４８及びその周辺に対して当たる。これにより，気流の一部はヘルメット６４０の外部へ導かれる。
【０１０８】
ウイング又は外面に対して当たらなかった気流は直進して人体６０９の首や頭部に対して当たる。
以上により，１つの送風部３０１から上着６２０の内部，上着６２０の外部，ヘルメット６４０の内部，ヘルメット６４０の外部，上着６２０とヘルメット６４０の間に露出する人体６０９の部分に同時に送風できる扇風機３００の装置が提供される。
【０１０９】
また，ヘルメット６４０を抱持する取付器具６４２は送風部３０１を有さないため軽いことから，ヘルメット６４０を着用する頭部を支える首への負担が軽減される効果を得ることができる。
【０１１０】
図４に示す扇風機３００は，上着６２０の縁６２１又は襟６２１を抱持する取付器具６２２の腕６２３の内側部分６２７と人体６０９の間にできる空洞６３３を送風部３０１から送風された気流が通過できる扇風機３００である。
【０１１１】
送付部から送風された気流はウイング６２４の風向調整面６２５に対して当たることで腕６２３の内側部分６２７の内面６３１と人体６０９の間にできる空洞６３３に導かれる。腕６２３の内側部分６２７の内面６３１は人体６０９に向けて概ねに凹形状又はＵ形状の面６３９を有しており，腕６２３の内側部分６２７の端に設けられた足６３２が接触する人体６０９と内面６３１の間に空洞６３３が形成される。
【０１１２】
空洞６３３に流入した気流は１以上ある足６３２の間の隙間６３４又は腕６２３の内側部分６２７の端に設けられた穴６３７から腕６２３の外部に流出できるため，気流は空洞６３３を通過することができる。
【０１１３】
穴６３８を通過した気流は空洞６３３に流入して空洞６３３を通過した後に上着６２０の内側へ流出する。これにより，上着６２０の内部に気流を導くことができる。ウイング６２４があることによって，空洞６３３に流入する気流の量を増やす効果を得ることができる。
【０１１４】
なお，本明細書において，立体が有する面の形状が「概ねに凹形状」であるとは，該立体の断面の境界線の形状が概ねに凹形状の曲線となる形状である。
例えば，図９に示された腕６２３をＡ−Ａ線でカットした断面図である図１０に示された断面６８０（グレーで塗られているエリア）の境界線（腕６２３の内側部分６２７の内面６３１と空洞６３３の間の境界を示す線）は，概ねに凹形状又はＵ形状である。よって，内面６３１は概ねに凹形状又はＵ形状の面６３９を有するから，「腕６２３は概ねに凹形状又はＵ形状の面６３９を有する」と判定される。
なお，立体が概ねに凹形状の面を有するかどうかを判定する具体的な方法としては，
（１）前記立体の大凡の形状を目視によって判定する方法，
（２）前記立体の表面に指又は掌をあてて大凡の形状を判定する方法，
（３）前記立体の形状をスキャナでコンピュータにとりこみ，これにガウス関数等をオペレータとするコンボリューション（畳み込み演算）の処理を施すことで平滑化した形状を得てから目視で判定する方法，
（４）前記立体の形状を一方向に切ったときの断面の境界線を凹型の曲線と凸型の曲線で近似したときに，より近似精度の高い方の曲線の型を判定結果とする方法，
の少なくとも１つを利用することは当業者にとって容易である。
【０１１５】
図５に示す扇風機３００は，上着６２０の縁６２１又は襟６２１を抱持する取付器具６２２の腕６２３の内側部分６２７と人体６０９の間にできる空洞６３３を送風部３０１から送風された気流が通過できる扇風機３００である。
【０１１６】
送風部３０１から送風された気流はウイング６２４の風向調整面６２５に対して当たった後に，ウイング６２４と腕６２３と足６３２によって形作られる穴６３８を通過する。腕６２３の内側部分６２７の内面６３１は概ねに凹形状又はＵ形状の面６３９を有しており，腕６２３の内側部分６２７の両側の端６８４及び先端６８５に設けられた３つの足６３２の間に位置する。
【０１１７】
このため，足６３２を人体６０９又は下着６５５に接触させたときに腕６２３の内側部分６２７の内面６３１と人体６０９又は下着６５５の間に空洞６３３ができる。腕６２３の内側部分６２７の内面６３１が概ねに凹形状又はＵ形状の面６３９を有していることによって，上着６２０と人体６０９又は下着６５５の間に気流が通過できる空間が確保される効果を得ることができる。
【０１１８】
図６に示すように，上着６２０の襟６２１を抱持する取付器具６２２のウイング６２４に向けて送風された気流は腕６２３と人体６０９の間に形成された空洞６３３を通過して腕６２３の端に設けられた足６３２の間の隙間６３４や腕６２３の端と足６３２によって形成される穴６３７を通過して上着６２０の内側に噴出することができる。ただし，図６には上着６２０は描かれていないが，取付器具６２２は上着６２０の襟６２１を抱持しているものとし，上着６２０の内部における気流が描かれている。
【０１１９】
着用物である上着６２０の縁６２１又は襟６２１を抱持できる腕６２３と，腕６２３の上に支持される風向調整体であるウイング６２４と，腕６２３の内側部分６２７の両側の端６８４に設けられた足６３２と，腕６２３の内側部分６２７の先端６８５に設けられた足６３２と，腕６２３の内側部分６２７の端と足６３２によって形成される穴６３７と，腕６２３と足６３２とウイング６２４によって形成される穴６３８と，腕６２３の外側部分６２６に回動可能に設けられた支持部２１０と，を有する取付器具６２２を図７から１６の図面に基づいて製造することは当業者にとって容易である。
【０１２０】
図１７は，取付器具６２２の腕６２３の外側部分６２６の外面６２８に設けられた支持部２１０の軸受となる穴２３３に支持部２１０の棒持台２４４が備える軸を嵌合させることで回動できる可動部２１５を備える支持部２１０の棒持台２４４の棒持面２４５に回動可能かつスライド可能に挿入された棒状体３０８が送風部３０１を支持することを説明するための分解図である。
【０１２１】
送風部３０１に内設された電動機３０３は棒状体３０８の内部に設けられた電源３０４である充電可能なリチウムイオン電池３０４に電気伝導体３１２を介して電気的に接続されることで送風部３０１のファンガード３０５に内包された羽根車３０２を駆動して送風する。前記リチウムイオン電池３０４は電池ケースの蓋３１０によって棒状体３０８に内包されており，棒状体３０８又は送風部３０１に設けられたスイッチ３０９により電気伝導体３１２への通電状態を制御することができる。
【０１２２】
図１７では蝶番部３０７を介して蝶動可能に棒状体３０８から送風部３０１が支持されている。
【０１２３】
本発明の可能な他の実施形態としては，送風部３０１と棒状体３０８の間に回動可能な軸と軸受を有する変動部を介することにより，棒状体３０８から送風部３０１が支持されていてもよい。
【０１２４】
また，本発明の可能な他の実施形態としては，棒状体３０８に支持される蝶番部３０７を介して支持される前記変動部を介することにより，棒状体３０８から送風部３０１が支持されていてもよい。
【０１２５】
また，本発明の可能な他の実施形態としては，送風部３０１と棒状体３０８の間に柔軟性のある部材を用いる変形可能な変動部を介することにより，棒状体３０８から送風部３０１が支持されていてもよい。
【０１２６】
また，本発明の可能な他の実施形態としては，送風部３０１が棒状体３０８に直接固定されることにより，棒状体３０８から送風部３０１が支持されていてもよい。
【０１２７】
なお，本明細書において，上記の「蝶番部」を介して１つの部品を他の部品から支持可能に設けることを「蝶着」とよぶ。また，上記のいずれかの「変動部」を介して１つの部品を他の部品から支持可能に設けることを「変動着」とよぶ。「変動着」とは，相互の位置関係が変動可能に着設することである。変動部に蝶番を用いた場合の変動着は蝶着となる。前記蝶番部の代わりに変動部を用いてもよく，前記変動部を介して前記送風部に前記棒状体を変動着してもよい。また，変動部に折れ曲がる柔軟性のある部品を用いた場合の変動着は折れ曲がるように変動可能に着設することである。また，変動部に回動可能な部品を用いた場合の変動着は回動可能に着設することである。前記送風部と前記棒状体の間の相対的な位置関係が変動可能に着設できるあらゆる部品を変動部として用いることができる。すなわち，変動部は蝶番部の概念を含む上位概念であり，変動着は蝶着の概念を含む上位概念である。
【０１２８】
図１８に示す扇風機３００は，取付器具６２２の腕６２３の外側部分６２６から支持される送風部３０１と腕６２３の外側部分６２６の間にある４つの可動な部分３２４／３２５／３２６／３２７を有する。
【０１２９】
取付器具６２２の腕６２３の外側部分６２６から支持される送風部３０１と腕６２３の外側部分６２６の間には回動可能な部分３２５／３２７が２以上ある。これにより，送風部３０１をあらゆる方向に向けることができる効果を得ることができる。
【０１３０】
取付器具６２２の腕６２３の外側部分６２６から支持される送風部３０１と腕６２３の外側部分６２６の間には横動可能又はスライド可能な部分３２６がある。これにより，取付器具６２２が上着６２０の襟６２１を図１のように抱持したときに送風部３０１の高さを調整することができる。よって，襟６２１の高さが様々に異なる上着６２０に取付器具６２２を取り付けたときでも，送風部３０１の高さを適切な位置に調整できる効果を得ることができる。
【０１３１】
取付器具６２２の腕６２３の外側部分６２６から支持される送風部３０１と腕６２３の外側部分６２６の間には蝶動可能な部分３２４がある。これにより，上着６２０の胸側にある襟６２１又は胸側にある台衿又は胸ポケットに取付器具６２２を抱持させたときに，蝶番部３０７の蝶動の角度を調整することで送風部３０１の送風の向きを上着６２０を着用する人体６０９の顔に向けることができる効果を得ることができる。
【０１３２】
取付器具６２２の腕６２３の外側部分６２６から支持される送風部３０１と腕６２３の外側部分６２６の間にある可動な部分をさらに増やす変更又は減らす変更は当業者にとって容易である。
【０１３３】
図１９に示すように，取付器具６２２の腕６２３は弾力性のある部材でできており，適度な力６８７を加えることによって，腕６２３の外側部分６２６と腕６２３の内側部分６２７の間６８６を開閉することができる。
【０１３４】
腕６２３に用いる弾力性のある部材によって，腕６２３がクリップ式に挟み込んだ着用物を適度な圧力で締め付けるように調整することは当業者にとって容易に調整可能である。腕６２３の部材として用いることができる適切な素材をポリマー又は金属から選ぶことは当業者にとって容易である。
【０１３５】
前記ポリマーとしてはポリエチレン，ポリプロピレン，ナイロン，ポリスチレン，ポリ塩化ビニル，ポリメタクリル酸メチル，ポリテトラフルオロエチレン，ポリカーボネート，ポリエチレンテレフタレート，ＡＳ樹脂，ＡＢＳ樹脂，エチレン酸ビコポリマー，アセタール樹脂，酢酸セルロース樹脂，ポリウレタン，ＴＰＵ樹脂，熱可塑性樹脂，熱可塑性ポリウレタンエラストマー，合成ゴム，天然ゴムを用いることは当業者にとって容易である。より好適にはポリプロピレン，ナイロン，ポリ塩化ビニル，ＡＢＳ樹脂を用いて取付器具６２２を製造することができる。
【０１３６】
また，図７から１９に記載の取付器具６２２の腕６２３の内側部分６２７の長さをさらに伸ばし，気流が通過できる空洞６３３を人体６０９の背中のさらに下まで伸ばすことによって，気流が上着６２０のさらに奥まで届くようにすることもできる。また，腕６２３の内側部分６２７に保冷剤を格納できる空間を形成する形状を内側部分６２７に設けて，保冷剤を腕６２３の内側部分６２７に格納し，前記保冷剤で空洞６３３を通過する気流を冷却することによって，上着６２０の内部に冷却された気流を導くことができる。また，腕６２３の内側部分６２７に送風部を設けて，空洞６３３を通過する気流を該送風部が送風できるようにすることによって，穴６３８から外部の空気を吸引し，穴６３７から上着６２０の内部へ前記空気を噴出させてもよい。
【０１３７】
図２０に示すように，机面６００に接触する足６３２によって支持される腕６２３の上に回動可能に支持される支持部２１０によって回動可能かつスライド可能に支持される棒状体３０８によって蝶動可能に支持される送風部３０１を有する図１８に記載の扇風機３００は，机面６００の上に立った状態で机面６００に接触する足６３２の位置を動かさずに図１８に記載の可動な部分だけを動かすことにより送風部３０１の向きをあらゆる方位に向けることができる特徴を有する。
【０１３８】
図２１に示すように，取付部分の腕６２３の内側部分６２７の両側の端６８４及び先端６８５に設けられた３つの足６３２は机面６００に接触させたときにぐらつかないで置くことができる。机面６００に置いたときにぐらつかないように前記３つの足６３２の形状を調整することは当業者にとって容易である。取付部分の大きさを大人の掌と同程度の大きさに製造し，机面６００に接触する足６３２によって支持される腕６２３の上に支持される支持部２１０によって棒状体３０８を支持することにより送風部３０１を支持して図２１のように机面６００に立つことができるように図１８に記載の各可動な部分３２４／３２５／３２６／３２７の動きやすさを調整することは当業者にとって容易である。
【０１３９】
足６３２を机面６００に接触させたときに腕６２３の内側部分６２７の内面６３１と机面６００の間に空洞６３３ができる。腕６２３の内側部分６２７の内面６３１が概ねに凹形状又はＵ形状の面６３９を有していることによって，腕６２３と机面６００の間に気流が通過できる空間が確保される効果を得ることができ，机面６００に気流を当てて机面６００を冷却又は乾燥することができる。
【０１４０】
図２２に示すように，人体６０９が着用する上着６２０の襟６２１から支持される送風部３０１が送風する気流が人体６０９の頭部が着用するヘルメット６４０と頭部の間の隙間６３５に流入することができる。
【０１４１】
図２２に記載のヘルメット６４０は図１に記載のヘルメット６４０を抱持する取付器具６４２が取付けられていないヘルメット６４０である。ヘルメット６４０と頭部の間の隙間６３５が十分に広い場合には，送風部３０１から送風される気流の一部が人体６０９の後頭部に対して当たって上昇し隙間６３５の中に流入する。
【０１４２】
このため，上着６２０から支持される送風部３０１を有する扇風機３００だけを用いた図２２に記載の場合であっても，ヘルメット６４０の内側に気流を導くことは可能である。
【０１４３】
しかし，頭部の頭髪の量が多い場合は，ヘルメット６４０と頭部の間の隙間６３５が頭髪によって塞がれてしまうため，隙間６３５への気流の流入量は低下してしまう。
【０１４４】
よって，図１に記載のヘルメット６４０に取付けられた取付器具６４２をヘルメット６４０に取り付けることによって，ヘルメット６４０の内部へ気流を導くための空洞を確保することが好ましい。
【０１４５】
これにより，頭髪の量が多い場合でも隙間６３５への気流の流入量を低下させない効果を得ることができる。
【０１４６】
また，図１に記載のヘルメット６４０に取り付けられた取付器具６４２は頭部の頭髪と送風部３０１の間に位置するため，取付器具６４２があることによって頭髪が送風部３０１に接触しにくくなる。このため，頭髪が送風部３０１の羽根車３０２に絡まりにくくなる効果を得ることができる。
【０１４７】
図２３に示すように，人体６０９が着用する上着６２０の襟６２１を抱持する取付器具６２２の支持部２１０から着脱可能に支持される棒状体３０８から支持される送風部３０１を有する扇風機３００は取付器具６２２を襟６２１に着けた状態のままで支持部２１０から棒状体３０８を離脱させて棒状体３０８を手持ち部とする携帯扇風機として使用できる。
【０１４８】
図１に記載のヘルメット６４０の縁６４１を抱持する取付器具６４２を図２４から２７を参考にして製造することは当業者にとって容易である。湾曲するウイング６４４の風向調整面６４５から延びる概ねに凹形状又はＵ形状の面６３９によって，ヘルメット６４０と取付器具６４２の間に気流が通過できる空洞ができる。  
【０１４９】
これにより，頭髪の量が多い場合であっても，ヘルメット６４０の内部に気流を導くための空洞が確保される。よって，頭髪の量にかかわらず，送風部３０１から送風される気流をヘルメット６４０の内部に安定的に導くことができる効果を得ることができる。
【０１５０】
ヘルメット６４０の縁６４１を抱持又は挟持する腕６４３の形状をヘルメット６４０に合わせて適宜変形して製造することは当業者にとって容易である。ヘルメット６４０に取付器具６４２を取付ける方法はクリップ式に縁６４１に留める方法に限らない。
【０１５１】
例えば，ヘルメット６４０に粘着性の部材やテープを介して貼り付けてもよい。また，ヘルメット６４０の内側にある部材やヘルメット６４０を頭部に固定するためのベルトに取付器具６４２を掛ける又は吊るす方法でもよい。また，ヘルメット６４０の内側にある部材又はヘルメット６４０を頭部に固定するためのベルトを通過させる穴を有する布状体又はシート状体を腕とすることで前記布状体又は前記シート状体からウイングを支持してもよい。また，ヘルメット６４０の内側にある部材又はヘルメット６４０を頭部に固定するためのベルトに掛けられた又は吊るされた布状体又はシート状体を腕とすることで前記布状体又は前記シート状体からウイングを支持してもよい。
【０１５２】
上着６２０の襟６２１から支持される送風部３０１から送風される気流をヘルメット６４０内に導くための風向調整体を備えたヘルメット６４０を図１から２７を参考にして製造することは当業者にとって容易である。
【０１５３】
上着６２０の襟６２１から支持される送風部３０１から送風される気流をヘルメット６４０内に導くための風向調整体となる形状をヘルメット６４０の後頭部の縁６４１の形状として設けたヘルメット６４０を図１から２７を参考にして製造することは当業者にとって容易である。
【０１５４】
（腕）
腕６２３／６４３は取付対象物である着用物の縁６２１／６４１又は襟６２１を抱持又は挟持することができる。腕６２３は上着６２０を抱持又は挟持できることにより，上着６２０を人体６０９が着用した状態のままで扇風機３００を上着６２０に簡単に着脱することができる。また，腕６４３はヘルメット６４０の縁６４１を抱持又は挟持できることにより，ヘルメット６４０を人体６０９が着用した状態のままで扇風機３００をヘルメット６４０に簡単に着脱することができる。
【０１５５】
腕６２３／６４３は取付対象物である着用物の縁６２１／６４１又は襟６２１に掛けること又は吊るすことができる。腕６２３は上着６２０に掛けること又は吊るすことができることにより，上着６２０を人体６０９が着用した状態のままで扇風機３００を上着６２０の襟６２１に簡単に着脱することができる。また，腕６４３はヘルメット６４０の縁６４１に掛けること又は吊るすことができることにより，ヘルメット６４０を人体６０９が着用した状態のままで扇風機３００をヘルメット６４０に簡単に着脱することができる。
【０１５６】
取付対象物である着用物を着用する人体６０９は着用物を支持し，着用物の縁６２１／６４１又は襟６２１を抱持又は挟持する腕６２３／６４３は取付対象物である着用物から支持される。
【０１５７】
（腕の内面と外面）
人体６０９が着用する着用物によって支持される腕６２３／６４３は内面６２９／６３１／６４９／６５１（ｉｎｎｅｒ  ｓｕｒｆａｃｅ）と外面６２８／６３０／６４８／６５０（ｏｕｔｅｒ  ｓｕｒｆａｃｅ）を有する。
【０１５８】
人体６０９が着用する着用物によって支持される腕６２３／６４３が有する面において，内面６２９／６３１／６４９／６５１は人体６０９の方を向く面の部分である。
【０１５９】
人体６０９が着用する着用物によって支持される腕６２３／６４３が有する面において，外面６２８／６３０／６４８／６５０は人体６０９とは反対の方を向く面の部分である。
【０１６０】
（腕の外側部分と内側部分）
腕６２３／６４３が取付対象物である着用物によって支持されたときに，着用物の外側に位置する腕６２３／６４３の部分６２６／６４６を「腕の外側部分」と呼ぶ。
【０１６１】
腕６２３／６４３が取付対象物である着用物によって支持されたときに，着用物の内側に位置する腕６２３／６４３の部分６２７／６４７を「腕の内側部分」と呼ぶ。
【０１６２】
腕６２３／６４３が取付対象物である着用物の縁６２１／６４１又は襟６２１を抱持又は挟持したときに，着用物の外側に位置する腕６２３／６４３の部分６２６／６４６を「腕の外側部分」と呼ぶ。
【０１６３】
腕６２３／６４３が取付対象物である着用物の縁６２１／６４１又は襟６２１を抱持又は挟持したときに，着用物の内側に位置する腕６２３／６４３の部分６２７／６４７を「腕の内側部分」と呼ぶ。
【０１６４】
腕６２３／６４３が取付対象物を抱持又は挟持したときに，取付対象物は腕６２３／６４３の外側部分６２６／６４６の内面６２９／６４９と腕６２３／６４３の内側部分６２７／６４７の外面６３０／６５０の間に抱持又は挟持される。
【０１６５】
腕６２３／６４３が取付対象物によって支持されたときに腕６２３／６４３の全部分が取付対象物の外側に位置する場合は，腕６２３／６４３の全部分が腕６２３／６４３の外側部分６２６／６４６である。
【０１６６】
腕６２３／６４３が取付対象物を抱持又は挟持したときに腕６２３／６４３の全部分が取付対象物の外側に位置する場合は，取付対象物は腕６２３／６４３の外側部分６２６／６４６の内面６２９／６４９によって抱持又は挟持される。
【０１６７】
図１，３，２２及び２３に示すように，
腕６２３／６４３の外側部分６２６／６４６は，取付対象物である着用物の縁６２１／６４１又は襟６２１の外側から，腕６２３／６４３の外側部分６２６／６４６の内面６２９／６４９を取付対象物である着用物の縁６２１／６４１又は襟６２１に接触させた状態で，腕６２３／６４３は取付対象物である着用物の縁６２１／６４１又は襟６２１を抱持又は挟持する。
【０１６８】
腕６２３／６４３の内側部分６２７／６４７は，取付対象物である着用物の縁６２１／６４１又は襟６２１の内側から，腕６２３／６４３の内側部分６２７／６４７の外面６３０／６５０を取付対象物である着用物の縁６２１／６４１又は襟６２１に接触させた状態で，腕６２３／６４３は取付対象物である着用物の縁６２１／６４１又は襟６２１を抱持又は挟持する。
【０１６９】
（送風部）
扇風機３００は送風部３０１を有している。
扇風機３００が有する腕６２３は送風部３０１を支持する。
送風部３０１は取付対象物である着用物の縁６２１又は襟６２１から支持される。
送風部３０１は取付対象物である着用物の縁６２１又は襟６２１の外側に配置される。
送風部３０１は腕６２３から支持される。
送風部３０１は腕６２３の外側部分６２６から送風の向きを調整できるように支持される。
【０１７０】
（ウイング）
扇風機３００は湾曲した板状体の風向調整体であるウイング６２４を有している。
扇風機３００が有する腕はウイング６２４を支持する。
ウイング６２４／６４４は腕６２３／６４３の外側部分６２６／６４６から支持される。
ウイング６２４／６４４は腕６２３／６４３の内側部分６２７／６４７から支持される。
ウイング６２４／６４４は概ねに凹形状であるの風向調整面６２５／６４５を有する。
ウイング６２４／６４４の風向調整面６２５／６４５は送風部３０１の方向に向いている。
ウイング６２４／６４４の風向調整面６２５／６４５は送風部３０１が発生する気流を主流と副流に分流する。  
【０１７１】
主流はウイング６２４／６４４の風向調整面６２５／６４５に対して当たらない気流である。
人体６０９が着用する着用物の縁６２１／６４１又は襟６２１から支持される腕６２３から送風の向きを調整できるように支持される送風部３０１が発生する気流の主流を前記着用物の外側に露出する人体６０９の部分である顔，首及び頭部に対して当てることができる。
【０１７２】
副流はウイング６２４／６４４の風向調整面６２５／６４５に対して当たる気流である。
副流の進行方向はウイング６２４／６４４の風向調整面６２５／６４５によって変えられる。
ウイング６２４／６４４の風向調整面６２５／６４５は副流の進行方向を変えることで副流を空洞６３３の中へ導くことで，副流は着用物の内側に導かれる。
【０１７３】
よって，１つの送風部３０１からの気流を着用物の内側と外側の両方に導くことができる扇風機３００と扇風機３００に用いる取付器具が提供される。
【０１７４】
図１に示すように，人体６０９の上半身に着用できる着用物である上着６２０の襟６２１を腕６２３が抱持又は挟持した状態で上着６２０を人体６０９に着用させたときに，ウイング６２４は上着６２０の襟６２１の上に配置された状態でウイング６２４は上着６２０の襟６２１から支持される。
【０１７５】
これにより，ウイング６２４に向けて送風部３０１から送風される気流を上着６２０の襟６２１と上半身の間の隙間６３６に向けて送風できる。
【０１７６】
人体６０９の頭部に着用できる着用物であるヘルメット６４０の縁６４１を腕６４３が抱持又は挟持した状態でヘルメット６４０を人体６０９に着用させたときに，ウイング６４４はヘルメット６４０の縁６４１の下に配置された状態でウイング６４４はヘルメット６４０の縁６４１から支持される。
【０１７７】
これにより，ウイング６４４に向けて送風部３０１から送風される気流をヘルメット６４０の縁６４１と頭部の間の隙間６３５に向けて送風できる。
【０１７８】
図３に示すように，腕６２３が抱持又は挟持又する取付対象物である着用物を人体６０９に着用させた状態で，送付部３０１が発生する気流の方向をウイング６２４の風向調整面６２５に向けることができ，気流をウイング６２４の風向調整面６２５に対して当てることができる。
【０１７９】
腕６２３が抱持又は挟持する襟６２１を有する上着６２０を人体６０９に着用させた状態で，腕６２３から支持される送付部３０１が発生する気流の方向を上着６２０の襟６２１を抱持又は挟持する腕６２３が支持するウイング６２４の風向調整面６２５に向けることができ，気流をウイング６２４の風向調整面６２５に対して当てることにより，気流の副流を上着６２０の内側に導くことができる。
【０１８０】
腕６２３が抱持又は挟持する襟６２１を有する上着６２０を人体６０９に着用させた状態で，腕６２３から支持される送付部が発生する気流の方向をヘルメット６４０の縁６４１を抱持又は挟持する腕６４３が支持するウイング６４４の風向調整面６４５に向けることができ，気流をウイング６４４の風向調整面６４５に対して当てることにより，気流の副流をヘルメット６４０の内側に導くことができる。
【０１８１】
これにより，ヘルメット６４０又は帽子をつけた人体６０９の頭部が蒸れない効果を得ることができる。
【０１８２】
（支持部）
送風部３０１は腕６２３の外側部分６２６の外面６２８に定設又は着設された支持部２１０から支持される。
扇風機３００の送風部３０１を支持する支持部２１０を支持する腕６２３は送風部３０１を支持する。
支持部２１０は可動部２１５を有していてもよい。支持部２１０と腕６２３の間に可動部２１５を有していてもよい。可動部２１５が可動することにより，送風部３０１の向きは変えられる。よって，送風部３０１が発生する気流の方向は変えられる。
扇風機３００は可動部２１５を有していることで，送風部３０１が発生する気流をウイング６２４／６４４の風向調整面６２５／６４５に向けることを調整することができ，気流をウイング６２４／６４４の風向調整面６２５／６４５に対して当てることを調整することができる。
【０１８３】
可動部２１５の可動の仕組みはどのようなものであってもよく，腕６２３に対して棒状体３０８の向き又は位置を変えられるように可動する可動部であればどのようなものであってもよい。前記可動は，回動であってもよく，傾動であってもよく，枢動であってもよく，嵌合させた球体に基づく可動であってもよく，柔軟性のある部材の変形に基づく可動であってもよく，また，それらの組み合わせであってもよい。
【０１８４】
（足）
腕６２３の内側部分６２７の端に少なくとも１つの足６３２が設けられている。足６３２を机面６００に接触させた状態で扇風機３００を机面６００に置いたときに，足６３２の上に支持される腕６２３の上に支持される支持部２１０に送風部３０１が支持された状態で扇風機３００を立てることができる。このとき，ウイング６２４は腕６２３の端に設けられた足６３２から支持される。
【０１８５】
（空洞）
足６３２が人体６０９の表面又は着用物の表面と接触したときに，人体６０９の表面又は着用物の表面と腕６２３の内側部分６２７の間に気流が通過できる空洞６３３ができる。
【０１８６】
ウイング６２４の風向調整面６２５は送風部３０１が発生する気流の副流の向きを変えることにより気流の副流を穴６３８に導くことができる形状を有する。
【０１８７】
ウイング６２４の風向調整面６２５は送風部３０１が発生する気流の副流の向きを変えることにより気流の副流を空洞６３３の内部に導くことができる形状を有する。
【０１８８】
取付対象物である着用物である上着６２０の縁６２１又は襟６２１を抱持又は挟持する腕６２３の内側部分６２７の端に設けられた足６３２が取付対象物である着用物である上着６２０を着用する人体６０９に接触したときに，腕６２３の内側部分６２７と人体６０９の間に形成される空洞６３３は気流の副流を通過させることができる。
【０１８９】
取付対象物である着用物である上着６２０の縁６２１又は襟６２１を抱持又は挟持する腕６２３が支持するウイング６２４の風向調整面６２５に向けられた気流の副流はウイング６２４の風向調整面６２５により空洞６３３に導かれることにより，気流の副流は腕６２３の内側部分６２７と人体６０９の間に形成される空洞６３３を通過する。空洞６３３を通過する気流の副流は腕６２３の内側部分６２７の端に設けられた穴６３７又は足６３２の間の隙間６３４を通過して，上着６２０の内側に導かれる。
【０１９０】
これにより，上着６２０の内側が蒸れない効果を得ることができる。また，上着６２０と人体６０９の間を気流の副流が通過する。これにより，上着６２０と人体６０９の間が蒸れない効果を得ることができる。
【０１９１】
取付対象物である着用物である上着６２０を着用する人体６０９が上着６２０と人体６０９の間に別の着用物である下着６５５を着用するときは，上着６２０の縁６２１又は襟６２１を抱持又は挟持する腕６２３の内側部分６２７の端に設けられた足６３２が下着６５５に接触したときに，腕６２３の内側部分６２７と下着６５５の間に形成される空洞６３３は気流の副流を通過させることができる。
【０１９２】
取付対象物である着用物である上着６２０を着用する人体６０９が上着６２０と人体６０９の間に別の着用物である下着６５５を着用するときは，上着６２０の縁６２１又は襟６２１を抱持又は挟持する腕６２３が支持するウイング６２４に向けられた気流の副流がウイング６２４により空洞６３３に導かれることにより，気流の副流は腕６２３の内側部分６２７と下着６５５の間に形成される空洞６３３を通過する。
【０１９３】
空洞６３３を通過する気流の副流は腕６２３の内側部分６２７の端に設けられた穴６３７又は足６３２の間の隙間６３４を通過して，上着６２０の内側に導かれる。これにより，上着６２０の内側が蒸れない効果を得ることができる。また，上着６２０と着用物である下着６５５の間を気流の副流が通過することにより，上着６２０と下着６５５の間が蒸れない効果を得ることができる。
【０１９４】
ウイング６２４／６４４があることにより，取付対象物である着用物である上着６２０又はヘルメット６４０の内部に安定的に気流の副流を導くことが可能になる。
【０１９５】
以上により，１つの電動機３０３と１つの羽根車３０２を有する送風部３０１を有する扇風機３００によって，ヘルメット６４０の内部及び上着６２０の内部に，同時に気流の副流を導くことが可能になる。さらに，気流の主流を人体６０９の首や背中に対して当てることも同時にできる。
【０１９６】
図２２に示すように，送風部３０１が発生する気流の方向がウイング６２４の風向調整面６２５に向けられることで，ウイング６２４の下に配置される襟６２１を有する着用物を着用する人体６０９の首や頭部にも気流の方向が向けられるため，気流の主流が首や頭部に対しても当たる効果を得ることができる。
【０１９７】
このとき，頭部につけた着用物であるヘルメット６４０又は帽子と頭の隙間６３５に気流の主流が流入する。これにより，ヘルメット６４０又は帽子をつけた人体６０９の頭部が蒸れない効果を得ることができる。
【０１９８】
前記装置は，
「人体６０９が着用する着用物によって支持される腕６２３／６４３と，
前記腕６２３／６４３によって支持される風向調整体であるウイング６２４／６４４と，
を有し，
前記着用物の外側からウイング６２４／６４４に向けて送風された気流をウイング６２４／６４４で分流して前記着用物の内側へ導くことかできる
取付器具」
を有する扇風機３００であることにより，「１つの送風部３０１からの気流を着用物の内側と外側の両方に導くことができる扇風機３００に用いる取付器具を提供する」という課題を解決することができる。
【０１９９】
当業者が利用できる特許文献１４の図６５に記載の「人体が着用する帽子から支持される扇風機」は，前記人体が着用する上着の襟に対して外部から気流を当てることはできるが，前記上着の内部に大量の前記気流を導くことは困難であった。これに対し，前記取付器具を前記上着の前記襟に抱持させ，かつ，特許文献１４の図６５に記載の扇風機を支持する前記帽子を前記人体の頭部に着用することによって，該扇風機が送風する気流を前記取付器具のウイングに対して当てることができる。すなわち，送風部を有さない前記取付器具であっても，公知の該扇風機と組み合わせて用いることによって，前記上着の内部に大量の前記気流を導くことができるようになる効果を得ることができる。
【０２００】
前記装置は，
「少なくとも１つの前記取付器具と，
ウイング６２４／６４４に向けて前記気流を送風できる送風部３０１と，
を有し，
腕６２３から送風部３０１が支持される
又は
人体６０９が着用する上着６２０から送風部３０１が支持される装置」
であることにより，「１つの送風部３０１からの気流を着用物の内側と外側の両方に導くことができる扇風機３００を提供する」という課題を解決することができる。
【０２０１】
前記装置は，
「送風部３０１の送風の向きを調整できるように送風部３０１が腕６２３又は上着６２０から支持される装置」であることにより，「さらに，前記着用物の外側に露出する人体６０９の部分にも前記気流を導くことを調整できる扇風機３００を提供する」という課題を解決することができる。
【０２０２】
前記装置は，
「前記腕６２３／６４３が前記着用物を抱持又は挟持できる
装置」であることにより，「さらに，着用物を人体６０９が着用した状態で，扇風機３００を前記着用物に簡単に着脱できる扇風機３００を提供する」という課題を解決することができる。
【０２０３】
前記装置は，
「前記腕６２３／６４３を前記着用物に掛けること又は吊るすことができる装置」であることにより，「さらに，着用物を人体６０９が着用した状態で扇風機３００を着用物の縁６２１／６４１に簡単に着脱できる扇風機３００を提供する」という課題を解決することができる。
【０２０４】
前記装置は，
「前記着用物が人体６０９の上半身又は頭部に着用できる着用物である装置」であることにより，「さらに，着用物である上着６２０と上半身の間の隙間６３６や，別の着用物であるヘルメット６４０と頭部の間の隙間６３５に向けて送風できる扇風機３００を提供する」という課題を解決することができる。
【０２０５】
前記装置は，
「前記着用物が上着６２０又は帽子又はヘルメット６４０である装置」であることにより，「さらに，扇風機３００が取り付けられた襟６２１を有する上着６２０を着用する人体６０９が着用する別の着用物であるヘルメット６４０と人体６０９の頭部の間の隙間６３５に向けて送風できる扇風機３００，又は，扇風機３００が取り付けられた縁６４１を有するヘルメット６４０を着用する人体６０９が着用する別の着用物である上着６２０と人体６０９の上半身の間の隙間６３６に向けて送風できる扇風機３００を提供する」という課題を解決することができる。
【０２０６】
前記装置は，
「前記腕６２３／６４３が少なくとも１以上の穴を形作る又は有する装置」であることにより，「さらに，取付対象物である上着６２０と人体６０９の上半身の間の空間に気流を送り込むための入り口の形状が安定的に確保される扇風機３００，又は，取付対象物であるヘルメット６４０と人体６０９の頭部の間の空間に気流を送り込むための入り口の形状が安定的に確保される扇風機３００を提供する」という課題を解決することができる。
【０２０７】
前記装置は，
「少なくとも１つの腕６２３に設けられた少なくとも１以上の足６３２を有する装置」であることにより，「さらに，使用者が歩行しているときは上着６２０又は帽子又はヘルメット６４０に着用できる扇風機３００として使用することができ，使用者が机の前に座ったときは机上に置ける扇風機３００として使用できる扇風機３００を提供する」という課題を解決することができる。
【０２０８】
前記装置は，
「人体６０９又は人体６０９が着用する下着６５５に足６３２を接触させた状態で
人体６０９又は下着６５５と腕６２３の間を
前記気流が通過できる装置」であることにより，「さらに，扇風機３００の腕６２３が人体６０９に接触したときに，扇風機３００と接触する人体６０９の表面が蒸れない扇風機３００を提供する」という課題を解決することができる。
【０２０９】
前記装置は，
「人体６０９又は人体６０９が着用する下着６５５に足６３２を接触させた状態で
人体６０９又は前記下着６５５と腕６２３の間にできる空洞６３３を
前記気流が通過できる装置」であることにより，「さらに，扇風機３００の腕６２３が人体６０９に接触したときに，人体６０９と扇風機３００の間の狭い隙間が蒸れない扇風機３００を提供する」という課題を解決することができる。
【０２１０】
前記装置は，
「人体６０９又は人体６０９が着用する下着６５５に足６３２を接触させた状態で
送風の向きを調整できるように設けられた送風部３０１が
人体６０９に向けて送風できる装置」であることにより，人体６０９に接触する足６５５によって安定的に支持される腕６２３の人体６０９に対する向きは，人体６０９が動き回っても安定するようになる。このため，腕６２３から支持されるウイング６２４と送風部３０１の人体６０９に対する向きを安定的に支持することができる効果を得ることができる。よって，「さらに，人体６０９が動き回っても気流を安定して着用物の内側及び人体６０９に導くことができる扇風機３００を提供する」という課題を解決することができる。
【０２１１】
前記装置は，
「人体６０９又は人体６０９が着用する下着６５５に足６３２を接触させた状態で
送風の向きを調整できるように設けられた送風部３０１が
人体６０９の首又は胸又は背中に向けて送風できる装置」であることにより，「さらに，人体６０９が動き回っても気流を安定して着用物の内側及び人体６０９の首や背中に導くことができる扇風機３００を提供する」という課題を解決することができる。
【０２１２】
前記装置は，
「前記ウイング，前記腕及び足６３２の少なくともいずれかによって形作られる穴６３８を有する装置」であることにより，「さらに，人体６０９が動き回っても取付対象物である着用物と人体６０９の間の空間に気流を送り込むための入り口の形状が安定的に確保される扇風機３００を提供する」という課題を解決することができる。
【０２１３】
前記装置は，
「２以上の前記取付器具を有する装置」であることにより，「さらに，人体６０９が着用する上着６２０とヘルメット６４０のそれぞれに１つずつ取付器具をつけて，上着６２０又はヘルメット６４０のいずれかにつけた前記取付器具によって支持される送風部３０１から送風される気流を，それぞれの前記取付器具によって上着６２０の内側及びヘルメット６４０の内側に導くことができる扇風機３００を提供する」という課題を解決することができる。
【０２１４】
前記装置は，
「送風部３０１に内包又は内設された電動機３０３と，
電動機３０３によって駆動される羽根車３０２と，
送風部３０１を支持する棒状体３０８と，
棒状体３０８に内包又は内設された電源３０４と，
電源３０４と電動機３０３を電気的に接続する電気伝導体３１２と，
棒状体３０８を着脱可能に支持する支持部２１０と，
支持部２１０が定設された外面６２８と，
前記外面６２８を有する腕６２３と，
を有する装置」であることにより，「さらに，扇風機３００としての装置を目視できない状況下であっても，襟６２１の後ろ側を抱持させることが容易な扇風機３００を提供し，さらに，扇風機３００の腕６２３を取付対象物である上着６２０の襟６２１につけたままで送風部３０１を腕６２３から取り外して手持ち式扇風機として使える扇風機３００を提供する」という課題を解決することができる。
【０２１５】
前記装置は，
「腕６２３に概ねに凹形状又はＵ形状の面６３９を有する
装置」である。
【０２１６】
前記装置は，
「１つの環状体の少なくとも２か所を支持又は挟持できる
装置」である。
【０２１７】
前記装置は，取付対象物である着用物である上着６２０又は帽子又はヘルメット６４０を抱持又は挟持する腕６２３／６４３と，
前記腕６２３が支持する送風部３０１と，前記腕６２３／６４３が支持するウイング６２４／６４４を備え，送風部３０１が発生する気流をウイング６２４／６４４に対して当てることができ，人体６０９の表面又は着用物の表面と前記腕６２３／６４３の間に前記気流が通過できる空洞６３３が形成されるように前記表面に接触できる扇風機３００である。前記装置は，風向調整体であるウイング６２４／６４４に風向調整面６２５／６４５を有し，前記気流を風向調整面６２５／６４５に対して当てることができる扇風機３００である。前記装置は，ウイング６２４／６４４に対して当たる前記気流を空洞６３３の中へ導くことができる扇風機３００である。
【０２１８】
これにより，扇風機３００の腕６２３により抱持又は挟持された取付対象物である上着６２０（ｏｕｔｅｒｗａｒｅ）の襟６２１を有するシャツを人体６０９が身に着けたときに， 襟６２１を抱持又は挟持する腕６２３が支持するウイング６２４に対して当てられた気流はウイング６２４により空洞６３３に導かれる。そして，気流は扇風機３００と人体６０９の間に形成される空洞６３３を通過する。そして，気流は上着６２０と人体６０９の間へ噴出する。よって，取付対象物と人体６０９の間が蒸れない効果を得ることができる。また，人体６０９と上着６２０の間に着用物である下着６５５（ｉｎｎｅｒｗａｒｅ）を着用したときは，気流は扇風機３００と下着６５５の間に形成される空洞６３３を通過する。そして，気流は上着６２０と下着６５５の間へ噴出する。よって，上着６２０と下着６５５の間が蒸れない効果を得ることができる。
【０２１９】
さらに，取付対象物である上着６２０の縁６２１又は襟６２１に扇風機３００の腕６２３を掛けるだけで扇風機３００を取付対象物に装着できるため，人体６０９が取付対象物である上着６２０を身に着けた状態のままで，扇風機３００を取付対象物に簡単に着脱できる効果を得ることができる。
【０２２０】
さらに，送風部３０１が発生する気流の方向がウイング６２４に向けられることで，ウイング６２４の下に配置される襟６２１を有する取付対象物である上着６２０を着用する人体６０９の首の上にある頭にも気流の方向が向けられるため，気流が首や頭に対しても当たる効果を得ることができる。
【０２２１】
このとき，頭につけた着用物であるヘルメット６４０又は帽子と頭の間の隙間６３５に気流が流入することにより，ヘルメット６４０又は帽子と人体６０９の頭の間が蒸れない効果を得ることができる。
【０２２２】
前記装置は，前記表面と腕６２３の間に前記気流が通過できる空洞６３３が形成されるように前記表面に接触する少なくとも１つの足６３２を腕６２３の端に有する扇風機３００である。
扇風機３００の腕６２３と人体６０９の表面の間を気流が通過することにより，扇風機３００と人体６０９の間が蒸れない効果を得ることができる。また，扇風機３００の腕６２３と着用物の表面の間を気流が通過することにより，扇風機３００と着用物の間が蒸れない効果を得ることができる。
【０２２３】
前記装置は，足６３２を机面６００に接触させたときに，足６３２に支持される腕６２３の上に送風部３０１が支持された状態で机面６００の上に立つ扇風機３００である。
【０２２４】
これにより，使用者が歩行している時には襟６２１に掛けられた扇風機３００として使うことができ，使用者が机の前に座ったときは，襟６２１から外して机面６００の上に立てて使用することができる。よって，扇風機３００を着用扇風機３００としてだけでなく机上扇風機としても使用できる効果を得ることができる。
【０２２５】
以上により，「使用者が歩行しているときは上着６２０に着用できる扇風機３００として使用することができ，使用者が机の前に座ったときは机上に置ける扇風機３００として使用できる扇風機３００を提供する」という課題を解決することができる。
【０２２６】
前記装置のウイング６２４は腕６２３及び／又は足６３２に定設されている。ウイング６２４及び腕６２３は少なくとも１つの穴６３８を形作る。ウイング６２４及び足６３２は少なくとも１つの穴６３８を形作る。ウイング６２４，腕６２３及び足６３２は少なくとも１つの穴６３８を形作る。
【０２２７】
これにより，扇風機３００の腕６２３により抱持又は挟持された取付対象物である上着６２０の縁６２１又は襟６２１を有するシャツを人体６０９が身に着けたときに， 襟６２１を抱持又は挟持する腕６２３が支持するウイング６２４に対して当てられた気流は穴６３８を通過することにより空洞６３３に導かれる。
【０２２８】
よって，取付対象物と人体６０９の間の空間に気流を送り込むための入り口の形状が穴６３８により安定的に確保される。
【０２２９】
前記装置は，
送風部３０１に内包又は内設された電動機３０３と，
電動機３０３によって駆動される羽根車３０２と，
送風部３０１を支持又は定設又は横設又は着設又は変動着又は蝶着する棒状体３０８と，
棒状体３０８に内包又は内設された電源３０４と，
電源３０４と電動機３０３を電気的に接続する電気伝導体３１２と，
棒状体３０８を着脱可能に支持する支持部２１０と，
支持部２１０が定設された腕６２３と，
装置は電気伝導体３１２の電気的な接続状態を制御するためのスイッチ３０９と，
を有する扇風機３００であり，
電気伝導体３１２の電気的な接続状態を制御するためのスイッチ３０９を送風部３０１又は棒状体３０８に有し，
支持部２１０は棒状体３０８を回動可能及び／又は横動可能及び／又は着脱可能に支持できる扇風機３００である。  
【０２３０】
これにより，扇風機３００としての装置を着用物の縁６２１又は襟６２１の後ろ側につけて，送風部３０１をウイング６２４の近くに配置して，送風部３０１が発生する気流をウイング６２４に向けて送風したときに，送風部３０１を下から棒状体３０８が支え，棒状体３０８がほぼ垂直に配置され，かつ，棒状体３０８のバランスが左右に傾かない。このため，扇風機３００としての装置を着用物の縁６２１又は襟６２１に安定的につけることができ，着用物を着る人にとって疲れにくくなる効果を得ることができる。
【０２３１】
持ちやすい手持部である棒状体３０８は，扇風機３００としての装置を着用物の縁６２１又は襟６２１の後ろにつける際に，扇風機３００としての装置を目視できない状況下であっても，棒状体３０８の方向を手で確認することを容易にする。これにより，扇風機３００としての装置を目視できない状況下であっても，腕６２３に襟６２１の後ろ側を抱持させることを容易にする。
【０２３２】
持ちやすい手持部である棒状体３０８は，扇風機３００としての装置を着用物の縁６２１又は襟６２１の後ろにつける際に，扇風機３００としての装置を誤って落下させる事故が発生する可能性を減らすことができる。
【０２３３】
以上により，「扇風機３００としての装置を目視できない状況下であっても，襟６２１の後ろ側を抱持させることが容易な扇風機３００を提供し，さらに，扇風機３００の腕６２３を取付対象物である上着６２０の襟６２１につけたままで送風部３０１を腕６２３から取り外して手持ち式扇風機として使える扇風機３００を提供する」という課題が解決される。
【０２３４】
なお，着用物の厚さが変わることで送風部３０１の位置が変わった場合であっても，蝶動可能な蝶番部３０７により，送風部３０１の向きを調整できるため，風向を調整してウイング６２４に向けることができる。
【０２３５】
なお，扇風機３００は車輪式器具であるベビーカー（ストローラー）につける扇風機として用いることもできる。扇風機３００の腕６２３がベビーカー（ストローラー）のフードの縁を抱持又は挟持したときに，フードの外側に配置される送風部３０１から送付される気流をフードの内側に導くことが可能になる。
【実施例２】
【０２３６】
従来技術では，手持ち式の携帯扇風機に紐をつけて首から吊り下げると，送風部の向きを制御することができなくなり，首に対して風が当たらなくなるという欠点があった。
【０２３７】
そこで，本実施例において解決すべき課題は，「手持ち式の携帯扇風機を首から吊り下げて手を離した状態であっても首に向けて安定して送風できるように支持できる支持台を備えた手持ち式の携帯扇風機を提供すること」である。
【０２３８】
また，本実施例において解決すべき別の課題は，「手持ち式の携帯扇風機を首から吊り下げた状態で安全に着脱できる前記支持台と，前記着脱の作業中に前記扇風機を誤って落下させないための安全な着脱方法を提供すること」である。
【０２３９】
本明細書において，手持ち式の携帯扇風機とは，「手持ち可能な棒状体で支持される送風部を備えた電池式の扇風機」である。
【０２４０】
本実施例においては，「手持ち式の携帯扇風機」を，その上位概念である「手持式機器」という名称を用いて説明する。
【０２４１】
図２８に記載の装置の支持台６６０は，図７から１６に記載の取付器具６２２と同一の部品であるため，当業者が図７から１６及び実施例１の記載を参考にして支持台６６０を製造することは容易である。なお，支持台６６０は実施例１に記載の取付器具６２２とは使用方法が異なるため，実施例２では支持台６６０と呼ぶ。
【０２４２】
図２８に記載の支持台６６０の２か所にスライダー６６１が１つずつ設けられている。各スライダー６６１は吊持具６７０の環状体６７１を挟んで吊持具６７０を支持することができる。また，吊持具６７０によって各スライダー６６１を支持することもできる。
【０２４３】
吊持具６７０としては，人体６０９の首に掛けるための布製又はポリマー製の環状体６７１を有するネックストラップを用いることができる。
【０２４４】
図２８に記載の吊持具６７０は，吊持具６７０の少なくとも２か所で支持台６６０を吊持又は支持する。支持台６６０は支持部２１０を有し，支持部２１０は棒持台２４４を有している。
【０２４５】
棒持台２４４が棒状体３０８を抱持することにより，支持部２１０は手持式機器６１６の棒状体３０８を着脱可能に支持することができる。
【０２４６】
手持式機器６１６と支持台６６０と吊持具６７０を用いることによって，手持式機器６１６を人体６０９から吊持又は支持することができる。
【０２４７】
図２８に記載の装置は，支持部２１０の棒持台２４４が抱持する棒状体３０８の上に送風部３０１を支持することにより，支持部２１０の上に送風部３０１を支持する。
【０２４８】
送風部３０１は，支持台６６０のスライダー６６１及びスライダー６６１を支持する吊持具６７０に向けて送風することにより，吊持具６７０を支持する人体６０９に向けて送風できる。
【０２４９】
図２９及び３０に記載の装置は，人体６０９の首に掛けられた吊持具６７０から支持される支持台６６０を，人体６０９が着用する上着６２０の胸部に接触させる。
【０２５０】
これにより，支持台６６０は人体６０９の首及び胸から安定的に支持される。さらに，前記装置は，送風部３０１を上着６２０に接触させずに送風部３０１を人体６０９の胸又は首に向けて送風できる。
【０２５１】
このため，手持式機器６１６を手で支持せずとも送風部３０１を人体６０９の胸又は首に向けて安定的に送風できる効果を得ることができる。
【０２５２】
よって，「手持ち式の携帯扇風機を首から吊り下げて手を離した状態であっても首に向けて安定して送風できるように支持できる支持台６６０を備えた手持ち式の携帯扇風機を提供する」という課題を解決することができる。
【０２５３】
図３１に記載の吊持具６７０は環状体６７１から支持される輪状体６７２又はループ状の糸状体６７２である部品（日本では「松葉」とよばれるストラップ）を有している。
【０２５４】
手持式機器６１６の棒状体３０８又は送風部３０１には，輪状体６７２又は糸状体６７２が通過できる穴６７３が設けられている。穴６７３に輪状体６７２又は糸状体６７２を通過させることにより，手持式機器６１６を吊持具６７０から吊持することができる。そして，吊持具６７０の環状体６７１を人体６０９の首に掛けることにより，手持式機器６１６は人体６０９の首から吊持される。このため，手持式機器６１６から手を放しても手持式機器６１６は落下しなくなる。
【０２５５】
手持式機器６１６を首から下げた状態のままで，手持式機器６１６を落下させずに支持台６６０を取り付ける方法は，下記のステップ１とステップ２からなる。
【０２５６】
ステップ１：支持台６６０の２つのスライダー６６１のそれぞれを吊持具６７０の環状体６７１の２か所に装着する（ ステップ１の作業は図３１において矢印６８８で示される）。
【０２５７】
支持台６６０には，図３２に示すように，環状体６７１を開環することなく環状体６７１を着脱できるスライダー６６１が設けられており，スライダー６６１には環状体６７１の離脱を防止するための突起６６２が設けられている。スライダー６６１は支持台６６０の右上と左上の２か所に設けられている。スライダー６６１は平行に設けられた２つの溝を有し，前記溝に環状体６７１を挟むことができる。
【０２５８】
ステップ１の作業中において手持式機器６１６を手で支持しなくても手持式機器６１６は落下しない。このため，支持台６６０を片手に持ち，吊持具６７０をもう片方の手に持った状態で，支持台６６０を吊持具６７０に装着するステップ１の作業を両手を使って安全に行えるようになる効果を得ることができる。
【０２５９】
ステップ１の作業が完了することによって，手持式機器６１６と支持台６６０は両方とも人体６０９の首から吊持される。このため，次のステップ２の作業中に手持式機器６１６又は支持台６６０から誤って手を放しても，手持式機器６１６及び支持台６６０は落下しなくなる効果を得ることができる。
【０２６０】
ステップ２：手持式機器６１６の棒状体３０８を支持台６６０の支持部２１０に抱持させる。（ステップ２の作業は図３１において矢印６８９で示される）。
【０２６１】
ステップ２の作業が完了することによって，図２９及び３０に記載の装置が提供される。
【０２６２】
なお，前記装置を首から下げた状態のままで，手持式機器６１６を落下させずに支持台６６０を取り外す方法については，上記のステップ２とステップ１の作業を逆に行えばよい。前記取り外す作業中に誤って手を滑らせても手持式機器６１６を落下させることはない。
【０２６３】
よって，「手持ち式の携帯扇風機を首から吊り下げた状態で安全に着脱できる支持台６６０と，前記着脱の作業中に前記扇風機を誤って落下させないための安全な着脱方法を提供する」という課題を解決することができる。
【０２６４】
図３３及び３４に示すように，支持台６６０のスライダー６６１は吊持具６７０によって安定的に支持されるが，吊持具６７０を強く引っ張ったときにだけ吊持具６７０とスライダー６６１が相互にスライドするようにスライダー６６１の形状を調整することは図３２から３４を見た当業者にとって容易である。これにより，支持台６６０は吊持具６７０の少なくとも２か所でスライド可能に支持される。よって，前記装置の送風部３０１と人体６０９の首の間の距離を調整できる効果を得ることができる。
【０２６５】
図３５に記載の装置の支持台６６０の支持部２１０は手持式機器６１６の棒状体３０８を回動可能に支持する。棒状体３０８を支持部２１０に対して回動させたときに，送風部３０１のファンガード３０５が支持台６６０にぶつかることなく棒状体３０８を３６０度回動できる。
【０２６６】
送風部３０１のファンガード３０５の大きさを計測することよって，ファンガード３０５が支持台６６０にぶつからないように，棒状体３０８を支持する支持部２１０の棒持台２４４の角度を調整することは図３５を見た当業者にとって容易である。
【０２６７】
また，棒状体３０８の幅を計測することによって，棒状体３０８をスライド可能に支持できるように支持部２１０の棒持台２４４の大きさを調整することも図３５を見た当業者にとって容易である。
【０２６８】
図３６に示すように，棒状体３０８と送風部３０１の間に少なくとも１つの可動な部品である蝶番部３０７を設けることにより，送風部３０１の向きを調整できるようになる。これにより，送風部３０１を人体６０９の顔に向けることが容易にできるようになる。
【０２６９】
棒状体３０８と送風部３０１の間に可動な部品を設ける方法については，実施例１に詳細に記述されている。
【０２７０】
図３７及び３８に記載の装置は，支持台６６０において支持部２１０を回動できる。これにより，棒状体３０８と送風部３０１の間に可動な部品がない手持式機器６１６の場合であっても，送風部３０１が人体６０９の顔に向くように調整することができるようになる。
【０２７１】
支持台６６０において支持部２１０を回動できるようにする方法については，実施例１に詳細に記述されている。
【０２７２】
図３９に記載の装置は，
「支持台を上着６２０に接触させずに 
支持台を吊持具６７０のみによって吊持したときに
棒状体３０８の最も低い部分の位置６８２が送風部３０１の最も低い部分の位置６８１よりも低くい状態で
前記支持台を吊持具６７０から吊持することができる装置」
である。
【０２７３】
すなわち，図３９に記載の装置は 送風部３０１よりも棒状体３０８の方が低い位置にあるので，支持台６６０の背面が人体６０９の胸の方を向いた状態で吊持される。このため，そのまま吊持具６７０を人体６０９の首に掛けたときに，棒状体３０８の上に送風部３０１が配置されやすくなる。よって，手持式機器６１６を正しい向き（送風部３０１が上で棒状体３０８が下）で首に掛けることが容易になる効果を得ることができる。
【０２７４】
これに対し，図４０に記載の装置は，
「支持台を上着６２０に接触させずに 
支持台を吊持具６７０のみによって吊持したときに
棒状体３０８の最も低い部分の位置６８２が送風部３０１の最も低い部分の位置６８１よりも高い状態で
前記支持台を吊持具６７０から吊持することができる装置」
である。
【０２７５】
すなわち，図４０に記載の装置は 送風部３０１よりも棒状体３０８の方が高い位置にあるので，支持台６６０の背面が人体６０９の胸の方を向いていない状態で吊持される。このため，そのまま吊持具６７０を人体６０９の首に掛けたときに，棒状体３０８の上に送風部３０１が配置されにくくなる（手持式機器６１６がひっくり返った状態である「送風部３０１が下で棒状体３０８が上の状態」に配置されやすくなる）。よって，手持式機器６１６を正しい向き（送風部３０１が上で棒状体３０８が下）で首に掛けることは困難になる。
【０２７６】
本発明者は様々な支持台を製作して実験を重ねた結果，図３９と図４０の効果の違いは，支持部２１０とスライダー６６１の間の距離の違いによって引き起こされることを本発明者は見出した。すなわち，棒状体３０８に内包されているリチウムイオン電池３０４は軽いのに対し，送風部３０１に内包されているステンレス製の電動機３０３は重い。手持式機器６１６の全体の重心の位置は送風部３０１の側に偏っており，手持式機器６１６の全体の重心の位置は送風部３０１の中に位置する。このため，支持部２１０が棒状体３０８のどの部分を支持したとしても，送風部３０１がある側の部分（支持部より上の側の部分）の方が送風部３０１がない側の部分（支持部より下の側の部分）より重い。物理法則によれば，前記装置全体を吊持具６７０で吊持したときに，前記装置全体の重心の位置は吊持の支点であるスライダー６６１の真下に常に位置するようにして吊持される。支持部２１０とスライダー６６１の間の距離が短くなると，前記重心の位置が高くなるため，その重心の位置がスライダー６６１の真下になるように装置全体が傾いて吊持される。その結果，重い送風部３０１が軽い棒状体３０８よりも下に位置するように装置全体が図４０のように傾いて吊持されるようになる。
【０２７７】
支持部２１０とスライダー６６１の間の距離を長くすると，図３９のように，送風部３０１の位置は上がり，棒状体３０８の位置は下がる。逆に，支持部２１０とスライダー６６１の間の距離を短くすると，図４０のように，送風部３０１の位置は下がり，棒状体３０８の位置は上がる。
【０２７８】
上記の知見に基づいて，図３９のように，手持式機器６１６を正しい向き（送風部３０１が上で棒状体３０８が下）で首に掛けやすい装置となるように，支持部２１０とスライダー６６１の間の距離を調整することは，当業者にとって容易である。
【０２７９】
一方，上記の知見を知らずに支持台６６０を製造してしまうと，図４０のように，手持式機器６１６を正しい向き（送風部３０１が上で棒状体３０８が下）で首に掛けることが困難な装置となり，製品としての価値を著しく損なう可能性がある。このため，上記の知見に基づく調整は大変重要である。
【０２８０】
なお，図３９に記載の装置は，
「支持台を前記上着６２０に接触させずに
支持台を吊持具６７０のみによって吊持したときに
棒状体３０８の重心の位置が送風部３０１の重心の位置よりも低くい状態で
支持台を吊持具６７０から吊持することができる装置」であるとして特定することもできる。
【０２８１】
なお，図２８に示すように，送風部３０１と支持台６６０のスライダー６６１の間に空間がある。これにより，空間に指を入れて棒状体３０８に設けられたスイッチ３０９を指で押すことができる。
【０２８２】
なお，図１７及び１８に示すように，棒状体３０８に設けられた電池ケースの蓋３１０の外側から支持部２１０の棒持台２４４は棒状体３０８を抱持する。これにより，誤って手持式機器６１６を落下させて地面に衝突させた場合であっても，落下の衝撃で蓋が棒状体３０８から外れにくくなる効果を得ることができる。よって，電池３０４が外に飛び出ててしまう事故や，飛び出た電池３０４を幼児が触ってしまう事故を防ぐことができる。
【０２８３】
本発明によって提供される装置Ｂ１は，
「環状体６７１を有する吊持具６７０と，
吊持具６７０から支持される支持台６６０と，
支持台６６０から着脱可能に支持される棒状体３０８と，
棒状体３０８から支持される送風部３０１と，
を有し，
人体６０９の首に掛けられた吊持具６７０から支持される支持台６６０を人体６０９によって着用された上着６２０に接触させた状態で
送風部３０１を前記上着６２０に接触させずに
送風部３０１を人体６０９に向けて
送風できる装置」である。
【０２８４】
本発明によって提供される装置Ｂ２は，
「人体６０９の首に掛けられた吊持具６７０から支持される支持台６６０を前記上着６２０の胸部に接触させた状態で
送風部３０１を前記上着６２０に接触させずに
送風部３０１を人体６０９の胸又は前記首に向けて
送風できる装置Ｂ１に記載の装置」である。
【０２８５】
本発明によって提供される装置Ｂ３は，
「環状体６７１から支持される輪状体６７２又は糸状体６７２を有する吊持具６７０と，
輪状体６７２又は糸状体６７２が通過できる穴６７３が設けられた棒状体３０８又は送風部３０１と，
を有する装置Ｂ１又はＢ２に記載の装置」である。
【０２８６】
本発明によって提供される装置Ｂ４は，
「環状体６７１を開環することなく環状体６７１を着脱できる支持台６６０を有する
装置Ｂ１からＢ３のいずれかに記載の装置」である。
【０２８７】
本発明によって提供される装置Ｂ５は，
「吊持具６７０の少なくとも２か所でスライド可能に支持される支持台６６０を有する
装置Ｂ１からＢ４のいずれかに記載の装置」である。
【０２８８】
本発明によって提供される装置Ｂ６は，
「棒状体３０８を支持する支持部２１０を支持台６６０に有し，
人体６０９の首に掛けられた吊持具６７０から支持される支持台６６０を前記上着６２０に接触させた状態で送風部３０１を支持部２１０の上に支持できる
装置Ｂ１からＢ５のいずれかに記載の装置」である。
【０２８９】
本発明によって提供される装置Ｂ７は，
「支持部２１０が棒状体３０８を回動可能に支持できる
装置Ｂ６に記載の装置」である。
【０２９０】
本発明によって提供される装置Ｂ８は，
「棒状体３０８を支持部２１０に対して回動させたときに
送風部３０１のファンガード３０５が支持台６６０にぶつかることなく
棒状体３０８を３６０度回動できる
装置Ｂ６又はＢ７に記載の装置」である。
【０２９１】
本発明によって提供される装置Ｂ９は，
「支持部２１０が棒状体３０８をスライド可能に支持できる
装置Ｂ７又はＢ８に記載の装置」である。
【０２９２】
本発明によって提供される装置Ｂ１０は，
「支持台６６０において支持部２１０を回動できる
装置Ｂ６からＢ９のいずれかに記載の装置」である。
【０２９３】
本発明によって提供される装置Ｂ１１は，
「支持台６６０を前記上着６２０に接触させずに 
支持台６６０を吊持具６７０のみによって吊持したときに
棒状体３０８の最も低い部分の位置６８２が送風部３０１の最も低い部分の位置６８１よりも低くい状態で
支持台６６０を吊持具６７０から吊持することができる
装置Ｂ１からＢ１０のいずれかに記載の装置」である。
【０２９４】
本発明によって提供される装置Ｂ１２は，
「支持台６６０を前記上着６２０に接触させずに
支持台６６０を吊持具６７０のみによって吊持したときに
棒状体３０８の重心の位置が送風部３０１の重心の位置よりも低くい状態で
支持台６６０を吊持具６７０から吊持することができる
装置Ｂ１からＢ１０のいずれかに記載の装置」である。
【０２９５】
本発明によって提供される装置Ｂ１３は，
「棒状体３０８と送風部３０１の間に少なくとも１つの可動な部品を有する
装置Ｂ１からＢ１２のいずれかに記載の装置」である。
【０２９６】
本発明によって提供される装置Ｂ１４は，
「棒状体３０８に内包又は内設された電源３０４と，
送風部３０１に内包又は内設された電動機３０３と，
電動機３０３によって駆動される羽根車３０２と，
前記電源と電動機３０３を電気的に接続する電気伝導体３１２と，
を有する
装置Ｂ１からＢ１３のいずれかに記載の装置」である。
【０２９７】
本発明によって提供される装置Ｂ１５は，
「装置Ｂ１からＢ１４のいずれかの装置に用いる
支持台６６０」である。
【０２９８】
本発明によって提供される装置Ｂ１６は，
「装置Ｂ１からＢ１４のいずれかの装置に用いる
支持台６６０を備えた吊持具６７０」である。
【０２９９】
本発明によって提供される装置Ｂ１７は，
「装置Ｂ６からＢ１４のいずれかの装置に用いる
支持部２１０の棒持台２４４」である。
【０３００】
本発明によって提供される装置Ｂ１８は，
「環状体６７１を有する吊持具６７０と，
吊持具６７０から支持される支持台６６０と，
支持台６６０から支持される送風部３０１と，
を有し，
支持台６６０は環状体６７１を開環することなく環状体６７１を着脱でき，
支持台６６０は吊持具６７０の少なくとも２か所でスライド可能に支持され，
かつ，
人体６０９の首に掛けられた吊持具６７０から支持される支持台６６０を人体６０９によって着用された上着６２０に接触させた状態で送風部３０１を人体６０９に向けて送風できる
装置」である。
【０３０１】
本発明によって提供される装置Ｂ１９は，
「環状体６７１から支持される輪状体６７２又は糸状体６７２を有する吊持具６７０と，
輪状体６７２又は糸状体６７２を通過させて吊持するための穴６７３と，
を有する装置Ｂ１８に記載の装置」である。
【符号の説明】
【０３０２】
２１０  支持部
２１５  支持部２１０の可動部
２３３  支持部２１０の軸受となる穴
２４４  支持部２１０の棒持台
２４５  支持部２１０の棒持台２４４の棒持面
３００  扇風機
３０１  扇風機３００の送風部
３０２  扇風機３００の送風部３０１ の羽根車
３０３  扇風機３００の送風部３０１ の電動機
３０４  扇風機３００の電源である電池
３０５  扇風機３００の送風部３０１ のファンガード
３０７  扇風機３００の蝶番部
３０８  扇風機３００の棒状体
３０９  扇風機３００のスイッチ
３１０  扇風機３００の電池ケースの蓋
３１２  扇風機３００の電気伝導体
３２０  扇風機３００の送風部のファンガードの結合を示す矢印
３２１  扇風機３００の電池ケースの蓋３１０と棒状体３０８の結合を示す矢印
３２２  扇風機３００の棒状体３０８を回動可能かつスライド可能に支持部２１０の棒持台２４４の棒持面２４５に支持させることを示す矢印
３２３  支持部２１０の棒持台２４４が備える軸を支持部２１０の軸受となる穴２３３に通過させることで棒持台２４４を回動可能に設けることを示す矢印
３２４  扇風機３００の送風部３０１ と棒状体３０８を蝶着する蝶番部３０７の蝶動を示す矢印
３２５  扇風機３００の棒状体３０８を回動可能に支持する支持部２１０の棒持台２４４の棒持面２４５における棒状体３０８の回動を示す矢印
３２６  扇風機３００の棒状体をスライド可能に支持する支持部２１０の棒持台２４４の棒持面２４５における棒状体３０８のスライドを示す矢印
３２７  支持部２１０が回動可能に支持する棒持台２４４と支持部２１０の間の可動部２１５の回動を示す矢印
６００  机面
６０９  帽子，ヘルメット又は上着を着用する人体
６１６  手持式機器（又は手持ち式の携帯扇風機）
６２０  人体６０９が着用する上着
６２１  上着６２０の縁又は襟
６２２  上着６２０の襟６２１を抱持又は挟持できる取付器具
６２３  取付器具６２２の腕（又は抱持部）
６２４  取付器具６２２のウイング
６２５  取付器具６２２のウイング６２４の風向調整面
６２６  取付器具６２２の腕６２３の外側部分
６２７  取付器具６２２の腕６２３の内側部分
６２８  取付器具６２２の腕６２３の外側部分６２６の外面
６２９  取付器具６２２の腕６２３の外側部分６２６の内面
６３０  取付器具６２２の腕６２３の内側部分６２７の外面
６３１  取付器具６２２の腕６２３の内側部分６２７の内面
６３２  取付器具６２２の足（又は接触部）
６３３  空洞
６３４  足６３２の間の隙間
６３５  ヘルメット６４０と人体６０９の頭部の間の隙間
６３６  上着６２０と人体６０９の間の隙間
６３７  腕６２３の内側部分６２７の端に設けられた穴
６３８  腕６２３とウイング６２４と足６３２によって形成される穴
６３９  概ねに凹形状又はＵ形状の面
６４０  人体６０９が着用するヘルメット
６４１  ヘルメット６４０の縁
６４２  ヘルメット６４０の縁６４１を抱持又は挟持できる取付器具
６４３  取付器具６４２の腕
６４４  取付器具６４２のウイング
６４５  取付器具６４２のウイング６４４の風向調整面
６４６  取付器具６４２の腕６４３の外側部分
６４７  取付器具６４２の腕６４３の内側部分
６４８  取付器具６４２の腕６４３の外側部分６４６の外面
６４９  取付器具６４２の腕６４３の外側部分６４６の内面
６５０  取付器具６４２の腕６４３の内側部分６４７の外面
６５１  取付器具６４２の腕６４３の内側部分６４７の内面
６５５  人体６０９と上着６２０の間の下着
６６０  支持台
６６１  支持台６６０のスライダー
６６２  支持台６６０のスライダー６６２に設けられた突起
６７０  吊持具
６７１  吊持具６７０の環状体
６７２  吊持具６７０の輪状体又は糸状体
６７３  吊持具６７０の輪状体６７２又は糸状体６７２が通過できる穴
６８０  概ねに凹形状又はＵ形状の面６３９を有する腕６２３の断面
６８１  送風部３０１の最も低い部分の位置
６８２  棒状体３０８の最も低い部分の位置
６８３  腕６２３の外側部分６２６と内側部分６２７の間の連結部分
６８４  腕６２３の内側部分６２７の両側の端
６８５  腕６２３の内側部分６２７の先端
６８６  腕６２３の外側部分６２６と内側部分６２７の間
６８７  腕６２３の外側部分６２６と内側部分６２７の間６８６を開く力
６８８  支持台６６０の２つのスライダー６６１のそれぞれを吊持具６７０の環状体６７１の２か所に装着するステップ１の作業を表す矢印
６８９  手持式機器６１６の棒状体３０８を支持台６６０の支持部２１０に抱持させるステップ２の作業を表す矢印
６９０  支持台６６０を前記上着６２０に接触させずに支持台６６０を吊持具６７０のみによって吊持したときに棒状体３０８の最も低い部分の位置６８２が送風部３０１の最も低い部分の位置６８１よりも低くい状態で支持台６６０を吊持具６７０から吊持することができる扇風機
６９１  支持台６６０を前記上着６２０に接触させずに支持台６６０を吊持具６７０のみによって吊持したときに棒状体３０８の最も低い部分の位置６８２が送風部３０１の最も低い部分の位置６８１よりも高い状態で支持台６６０を吊持具６７０から吊持することができる扇風機
【図１】
2019112751.tif 000003
【図２】
2019112751.tif 000004
【図３】
2019112751.tif 000005
【図４】
2019112751.tif 000006
【図５】
2019112751.tif 000007
【図６】
2019112751.tif 000008
【図７】
2019112751.tif 000009
【図８】
2019112751.tif 000010
【図９】
2019112751.tif 000011
【図１０】
2019112751.tif 000012
【図１１】
2019112751.tif 000013
【図１２】
2019112751.tif 000014
【図１３】
2019112751.tif 000015
【図１４】
2019112751.tif 000016
【図１５】
2019112751.tif 000017
【図１６】
2019112751.tif 000018
【図１７】
2019112751.tif 000019
【図１８】
2019112751.tif 000020
【図１９】
2019112751.tif 000021
【図２０】
2019112751.tif 000022
【図２１】
2019112751.tif 000023
【図２２】
2019112751.tif 000024
【図２３】
2019112751.tif 000025
【図２４】
2019112751.tif 000026
【図２５】
2019112751.tif 000027
【図２６】
2019112751.tif 000028
【図２７】
2019112751.tif 000029
【図２８】
2019112751.tif 000030
【図２９】
2019112751.tif 000031
【図３０】
2019112751.tif 000032
【図３１】
2019112751.tif 000033
【図３２】
2019112751.tif 000034
【図３３】
2019112751.tif 000035
【図３４】
2019112751.tif 000036
【図３５】
2019112751.tif 000037
【図３６】
2019112751.tif 000038
【図３７】
2019112751.tif 000039
【図３８】
2019112751.tif 000040
【図３９】
2019112751.tif 000041
【図４０】
2019112751.tif 000042
【手続補正書】
【提出日】平成29年12月29日(2017.12.29)
【手続補正１】
【補正対象書類名】明細書
【補正対象項目名】０１１１
【補正方法】変更
【補正の内容】
【０１１１】
送風部３０１から送風された気流はウイング６２４の風向調整面６２５に対して当たることで腕６２３の内側部分６２７の内面６３１と人体６０９の間にできる空洞６３３に導かれる。腕６２３の内側部分６２７の内面６３１は人体６０９に向けて概ねに凹形状又はＵ形状の面６３９を有しており，腕６２３の内側部分６２７の端に設けられた足６３２が接触する人体６０９と内面６３１の間に空洞６３３が形成される。
【手続補正２】
【補正対象書類名】明細書
【補正対象項目名】０１７８
【補正方法】変更
【補正の内容】
【０１７８】
図３に示すように，腕６２３が抱持又は挟持又する取付対象物である着用物を人体６０９に着用させた状態で，送風部３０１が発生する気流の方向をウイング６２４の風向調整面６２５に向けることができ，気流をウイング６２４の風向調整面６２５に対して当てることができる。
【手続補正３】
【補正対象書類名】明細書
【補正対象項目名】０１７９
【補正方法】変更
【補正の内容】
【０１７９】
腕６２３が抱持又は挟持する襟６２１を有する上着６２０を人体６０９に着用させた状態で，腕６２３から支持される送風部３０１が発生する気流の方向を上着６２０の襟６２１を抱持又は挟持する腕６２３が支持するウイング６２４の風向調整面６２５に向けることができ，気流をウイング６２４の風向調整面６２５に対して当てることにより，気流の副流を上着６２０の内側に導くことができる。
【手続補正４】
【補正対象書類名】明細書
【補正対象項目名】０１８０
【補正方法】変更
【補正の内容】
【０１８０】
腕６２３が抱持又は挟持する襟６２１を有する上着６２０を人体６０９に着用させた状態で，腕６２３から支持される送風部３０１が発生する気流の方向をヘルメット６４０の縁６４１を抱持又は挟持する腕６４３が支持するウイング６４４の風向調整面６４５に向けることができ，気流をウイング６４４の風向調整面６４５に対して当てることにより，気流の副流をヘルメット６４０の内側に導くことができる。
【手続補正書】
【提出日】平成30年1月4日(2018.1.4)
【手続補正１】
【補正対象書類名】特許請求の範囲
【補正対象項目名】請求項１
【補正方法】変更
【補正の内容】
【請求項１】
人体が着用する着用物によって支持されることができる腕と，
前記腕によって支持される風向調整体であるウイングと，
を有し，
前記着用物の外側から前記ウイングに向けて送風された気流を前記ウイングによって分流することができ，
かつ，
前記ウイングによって分流された前記気流を前記着用物の内側へ導くことができる
取付器具。
【手続補正２】
【補正対象書類名】特許請求の範囲
【補正対象項目名】請求項２
【補正方法】変更
【補正の内容】
【請求項２】
少なくとも１つの請求項１に記載の取付器具と，
前記ウイングに向けて前記気流を送風できる送風部と，
を有し，
かつ，
前記腕から前記送風部を支持する
又は
前記人体が着用する上着から前記送風部を支持することができる
装置。
【手続補正３】
【補正対象書類名】特許請求の範囲
【補正対象項目名】請求項３
【補正方法】変更
【補正の内容】
【請求項３】
前記送風部の送風の向きを調整できるように前記腕から前記送風部を支持する
又は
前記送風部の送風の向きを調整できるように前記上着から前記送風部を支持することができる
請求項２に記載の装置。
【手続補正５】
【補正対象書類名】明細書
【補正対象項目名】０００１
【補正方法】変更
【補正の内容】
【０００１】
本発明は，着用物の内側に気流を導くための取付器具，および，該取付器具を有する装置に関するものである。
【手続補正６】
【補正対象書類名】明細書
【補正対象項目名】００３７
【補正方法】変更
【補正の内容】
【００３７】
請求項１に記載の装置Ａ１は，
「人体が着用する着用物によって支持される腕と，
前記腕によって支持される風向調整体であるウイングと，
を有し，
前記着用物の外側から前記ウイングに向けて送風された気流を前記ウイングで分流して前記着用物の内側へ導くことができる
取付器具」である。
【手続補正７】
【補正対象書類名】明細書
【補正対象項目名】００６１
【補正方法】変更
【補正の内容】
【００６１】
請求項１に記載の装置Ａ１によれば，
「人体が着用する着用物によって支持される腕と，
前記腕によって支持される風向調整体であるウイングと，
を有し，
前記着用物の外側から前記ウイングに向けて送風された気流を前記ウイングで分流して前記着用物の内側へ導くことができる
取付器具」が提供される。
これにより，少なくとも「１つの送風部からの気流を着用物の内側と外側の両方に導くことができる扇風機に用いる取付器具を提供する」という課題を解決することができる。
【手続補正８】
【補正対象書類名】明細書
【補正対象項目名】０１９８
【補正方法】変更
【補正の内容】
【０１９８】
前記装置は，
「人体６０９が着用する着用物によって支持される腕６２３／６４３と，
前記腕６２３／６４３によって支持される風向調整体であるウイング６２４／６４４と，
を有し，
前記着用物の外側からウイング６２４／６４４に向けて送風された気流をウイング６２４／６４４で分流して前記着用物の内側へ導くことができる
取付器具」
を有する扇風機３００であることにより，「１つの送風部３０１からの気流を着用物の内側と外側の両方に導くことができる扇風機３００に用いる取付器具を提供する」という課題を解決することができる。
【手続補正書】
【提出日】平成30年1月9日(2018.1.9)
【手続補正１】
【補正対象書類名】特許請求の範囲
【補正対象項目名】請求項１
【補正方法】変更
【補正の内容】
【請求項１】
人体が着用する着用物によって支持されることができる腕と，
前記腕によって支持される風向調整体であるウイングと，
を有し，
前記着用物の外側から前記ウイングへ向かう気流又は
前記着用物の外側から前記ウイングへ向けて送風された気流を
前記ウイングによって分流することができ，
かつ，
前記ウイングによって分流された前記気流を前記着用物の内側へ導くことができる
取付器具。
【手続補正書】
【提出日】平成30年3月4日(2018.3.4)
【手続補正１】
【補正対象書類名】特許請求の範囲
【補正対象項目名】全文
【補正方法】変更
【補正の内容】
【特許請求の範囲】
【請求項１】
人体が着用する着用物から支持されることができる腕と，
前記腕によって支持される風向調整体と，
前記腕に設けられた少なくとも１以上の接触部と，
を有し，
かつ，
前記着用物の外側から前記風向調整体へ向かう気流又は
前記着用物の外側から前記風向調整体へ向けて送風された気流を
前記風向調整体によって分流することができ，
かつ，
前記人体の表面又は前記人体が着用する下着の表面に前記接触部を接触させた状態で
前記表面と前記腕との間を前記風向調整体によって分流された前記気流が通過でき，
かつ，
前記風向調整体によって分流された前記気流を前記着用物の内側へ導くことができる
取付器具。 
【請求項２】
人体が着用する着用物から支持されることができる腕と，
前記腕によって支持される風向調整体と，
前記腕に設けられた少なくとも１以上の接触部と，
を有し，
かつ，
前記着用物の外側から前記風向調整体へ向かう気流又は
前記着用物の外側から前記風向調整体へ向けて送風された気流を
前記風向調整体によって分流することができ，
かつ，
前記人体の表面又は前記人体が着用する下着の表面に前記接触部を接触させた状態で
前記表面と前記腕により形成される空洞を前記風向調整体によって分流された前記気流が通過でき，
かつ，
前記風向調整体によって分流された前記気流を前記着用物の内側へ導くことができる
取付器具。 
【請求項３】
人体が着用する着用物を挟持することによって前記着用物から支持されることができる挟持部と，
前記挟持部によって支持される風向調整体と，
前記挟持部に設けられた少なくとも１以上の接触部と，
を有し，
かつ，
前記着用物の外側から前記風向調整体へ向かう気流又は
前記着用物の外側から前記風向調整体へ向けて送風された気流を
前記風向調整体によって分流することができ，
かつ，
前記人体の表面又は前記人体が着用する下着の表面に前記接触部を接触させた状態で
前記表面と前記挟持部との間を前記風向調整体によって分流された前記気流が通過でき，
かつ，
前記風向調整体によって分流された前記気流を前記着用物の内側へ導くことができる
取付器具。 
【請求項４】
人体が着用する着用物を挟持することによって前記着用物から支持されることができる挟持部と，
前記挟持部によって支持される風向調整体と，
前記挟持部に設けられた少なくとも１以上の接触部と，
を有し，
かつ，
前記着用物の外側から前記風向調整体へ向かう気流又は
前記着用物の外側から前記風向調整体へ向けて送風された気流を
前記風向調整体によって分流することができ，
かつ，
前記人体の表面又は前記人体が着用する下着の表面に前記接触部を接触させた状態で
前記表面と前記挟持部により形成される空洞を前記風向調整体によって分流された前記気流が通過でき，
かつ，
前記風向調整体によって分流された前記気流を前記着用物の内側へ導くことができる
取付器具。 
【請求項５】
前記接触部の少なくとも１つが前記腕の内側部分の端又は前記挟持部の内側部分の端に設けられた請求項１から４のいずれかに記載の取付器具。
【請求項６】
前記風向調整体がウイングである請求項１から５のいずれかに記載の取付器具。
【請求項７】
前記気流を送風できる送風部を有する扇風機を前記腕の外側部分又は前記挟持部の外側部分から支持できる請求項１から６のいずれかに記載の取付器具。
【請求項８】
前記気流を送風できる送風部を有する扇風機を前記腕の外側部分又は前記挟持部の外側部分から着脱可能に支持できる請求項１から６のいずれかに記載の取付器具。
【請求項９】
前記風向調整体へ向けて前記気流を送風できる送風部を有する扇風機を前記腕の外側部分又は前記挟持部の外側部分から支持できる請求項１から６のいずれかに記載の取付器具。
【請求項１０】
前記腕の外側部分又は前記挟持部の外側部分に対して前記気流を当てることができる送風部を有する扇風機を前記腕の外側部分又は前記挟持部の外側部分から支持できる請求項１から６のいずれかに記載の取付器具。
【請求項１１】
人体が着用する着用物によって支持されることができる腕と，
前記腕によって支持される風向調整体と，
前記腕によって支持される送風部と， 
を有し，
かつ，
前記着用物の外側表面および前記風向調整体へ向けて前記送風部から気流を送風することができ，
かつ，
前記送風部から前記風向調整体へ向けて送風された前記気流を前記風向調整体によって分流することができ，
かつ，
前記風向調整体によって分流された前記気流を前記着用物の内側へ導くことができる
装置。
【請求項１２】
人体が着用する着用物によって支持されることができる腕と，
前記腕によって支持される風向調整体と，
前記腕によって支持される送風部と， 
を有し，
かつ，
前記腕の外側部分および前記風向調整体へ向けて前記送風部から気流を送風することができ，
かつ，
前記送風部から前記風向調整体へ向けて送風された前記気流を前記風向調整体によって分流することができ，
かつ，
前記風向調整体によって分流された前記気流を前記着用物の内側へ導くことができる
装置。
【請求項１３】
人体が着用する着用物を挟持することによって前記着用物から支持されることができる挟持部と，
前記挟持部によって支持される風向調整体と，
前記挟持部によって支持される送風部と， 
を有し，
かつ，
前記着用物の外側表面および前記風向調整体へ向けて前記送風部から気流を送風することができ，
かつ，
前記送風部から前記風向調整体へ向けて送風された気流を前記風向調整体によって分流することができ，
かつ，
前記風向調整体によって分流された前記気流を前記着用物の内側へ導くことができる
装置。
【請求項１４】
人体が着用する着用物を挟持することによって前記着用物から支持されることができる挟持部と，
前記挟持部によって支持される風向調整体と，
前記挟持部によって支持される送風部と， 
を有し，
かつ，
前記挟持部の外側部分および前記風向調整体へ向けて前記送風部から気流を送風することができ，
かつ，
前記送風部から前記風向調整体へ向けて送風された気流を前記風向調整体によって分流することができ，
かつ，
前記風向調整体によって分流された前記気流を前記着用物の内側へ導くことができる
装置。
【請求項１５】
前記風向調整体がウイングである請求項１１から１４のいずれかに記載の装置。
【請求項１６】
請求項１１から１５のいずれかに記載の装置に用いる前記腕又は前記挟持部を有する取付器具。
【手続補正３】
【補正対象書類名】明細書
【補正対象項目名】０００１
【補正方法】変更
【補正の内容】
【０００１】
本発明は，取付器具，および，該取付器具を有する装置に関するものである。
【手続補正４】
【補正対象書類名】明細書
【補正対象項目名】０１０５
【補正方法】変更
【補正の内容】
【０１０５】
送風部３０１から送風される気流は上着６２０の縁６２１又は襟６２１を外側から抱持する腕６２３の外側部分６２６の外面６２８及びその周辺にある上着６２０の外側表面に対して当たる。これにより，気流の一部は上着６２０の外側表面へ導かれる。
【手続補正５】
【補正対象書類名】明細書
【補正対象項目名】０１０７
【補正方法】変更
【補正の内容】
【０１０７】
送風部３０１から送風される気流はヘルメット６４０の縁６４１をヘルメット６４０の外側から抱持する腕６４３の外側部分６４６の外面６４８及びその周辺にあるヘルメット６４０の外側表面に対して当たる。これにより，気流の一部はヘルメット６４０の外側表面へ導かれる。
【手続補正６】
【補正対象書類名】明細書
【補正対象項目名】０１０８
【補正方法】変更
【補正の内容】
【０１０８】
ウイング又は外面に対して当たらなかった気流は直進して人体６０９の首や頭部に対して当たる。以上により，１つの送風部３０１から上着６２０の内部，上着６２０の外側表面，ヘルメット６４０の内部，ヘルメット６４０の外側表面，上着６２０とヘルメット６４０の間に露出する人体６０９の部分に同時に送風できる扇風機３００の装置が提供される。
【手続補正書】
【提出日】平成30年3月11日(2018.3.11)
【手続補正１】
【補正対象書類名】特許請求の範囲
【補正対象項目名】全文
【補正方法】変更
【補正の内容】
【特許請求の範囲】
【請求項１】
人体が着用する着用物から支持されることができる腕と，
前記腕によって支持される風向調整体と，
前記腕に設けられた少なくとも１以上の接触部と，
を有し，
かつ，
前記着用物の外側から前記風向調整体へ向かう気流又は
前記着用物の外側から前記風向調整体へ向けて送風された気流を
前記風向調整体によって分流することができ，
かつ，
前記人体の表面又は前記人体が着用する下着の表面に前記接触部を接触させた状態で
前記表面と前記腕との間を前記風向調整体によって分流された前記気流が通過でき，
かつ，
前記風向調整体によって分流された前記気流を前記着用物の内側へ導くことができる
取付器具。 
【請求項２】
人体が着用する着用物から支持されることができる腕と，
前記腕によって支持される風向調整体と，
前記腕に設けられた少なくとも１以上の接触部と，
を有し，
かつ，
前記着用物の外側から前記風向調整体へ向かう気流又は
前記着用物の外側から前記風向調整体へ向けて送風された気流を
前記風向調整体によって分流することができ，
かつ，
前記人体の表面又は前記人体が着用する下着の表面に前記接触部を接触させた状態で
前記表面と前記腕により形成される空洞を前記風向調整体によって分流された前記気流が通過でき，
かつ，
前記風向調整体によって分流された前記気流を前記着用物の内側へ導くことができる
取付器具。 
【請求項３】
人体が着用する着用物を挟持することによって前記着用物から支持されることができる挟持部と，
前記挟持部によって支持される風向調整体と，
前記挟持部に設けられた少なくとも１以上の接触部と，
を有し，
かつ，
前記着用物の外側から前記風向調整体へ向かう気流又は
前記着用物の外側から前記風向調整体へ向けて送風された気流を
前記風向調整体によって分流することができ，
かつ，
前記人体の表面又は前記人体が着用する下着の表面に前記接触部を接触させた状態で
前記表面と前記挟持部との間を前記風向調整体によって分流された前記気流が通過でき，
かつ，
前記風向調整体によって分流された前記気流を前記着用物の内側へ導くことができる
取付器具。 
【請求項４】
人体が着用する着用物を挟持することによって前記着用物から支持されることができる挟持部と，
前記挟持部によって支持される風向調整体と，
前記挟持部に設けられた少なくとも１以上の接触部と，
を有し，
かつ，
前記着用物の外側から前記風向調整体へ向かう気流又は
前記着用物の外側から前記風向調整体へ向けて送風された気流を
前記風向調整体によって分流することができ，
かつ，
前記人体の表面又は前記人体が着用する下着の表面に前記接触部を接触させた状態で
前記表面と前記挟持部により形成される空洞を前記風向調整体によって分流された前記気流が通過でき，
かつ，
前記風向調整体によって分流された前記気流を前記着用物の内側へ導くことができる
取付器具。 
【請求項５】
前記接触部の少なくとも１つが前記腕の内側部分の端又は前記挟持部の内側部分の端に設けられた請求項１から４のいずれかに記載の取付器具。
【請求項６】
前記風向調整体がウイングである請求項１から５のいずれかに記載の取付器具。
【請求項７】
前記気流を送風できる送風部を有する扇風機を前記腕の外側部分又は前記挟持部の外側部分から支持できる請求項１から６のいずれかに記載の取付器具。
【請求項８】
前記気流を送風できる送風部を有する扇風機を前記腕の外側部分又は前記挟持部の外側部分から着脱可能に支持できる請求項１から６のいずれかに記載の取付器具。
【請求項９】
前記風向調整体へ向けて前記気流を送風できる送風部を有する扇風機を前記腕の外側部分又は前記挟持部の外側部分から支持できる請求項１から６のいずれかに記載の取付器具。
【請求項１０】
前記腕の外側部分又は前記挟持部の外側部分に対して前記気流を当てることができる送風部を有する扇風機を前記腕の外側部分又は前記挟持部の外側部分から支持できる請求項１から６のいずれかに記載の取付器具。
【請求項１１】
人体が着用する着用物によって支持されることができる腕と，
前記腕によって支持される風向調整体と，
前記腕によって支持される送風部と， 
を有し，
かつ，
前記着用物の外側表面および前記風向調整体へ向けて前記送風部から気流を送風することができ，
かつ，
前記送風部から前記風向調整体へ向けて送風された前記気流を前記風向調整体によって分流することができ，
かつ，
前記風向調整体によって分流された前記気流を前記着用物の内側へ導くことができる
装置。
【請求項１２】
人体が着用する着用物によって支持されることができる腕と，
前記腕によって支持される風向調整体と，
前記腕によって支持される送風部と， 
を有し，
かつ，
前記腕の外側部分および前記風向調整体へ向けて前記送風部から気流を送風することができ，
かつ，
前記送風部から前記風向調整体へ向けて送風された前記気流を前記風向調整体によって分流することができ，
かつ，
前記風向調整体によって分流された前記気流を前記着用物の内側へ導くことができる
装置。
【請求項１３】
人体が着用する着用物を挟持することによって前記着用物から支持されることができる挟持部と，
前記挟持部によって支持される風向調整体と，
前記挟持部によって支持される送風部と， 
を有し，
かつ，
前記着用物の外側表面および前記風向調整体へ向けて前記送風部から気流を送風することができ，
かつ，
前記送風部から前記風向調整体へ向けて送風された気流を前記風向調整体によって分流することができ，
かつ，
前記風向調整体によって分流された前記気流を前記着用物の内側へ導くことができる
装置。
【請求項１４】
人体が着用する着用物を挟持することによって前記着用物から支持されることができる挟持部と，
前記挟持部によって支持される風向調整体と，
前記挟持部によって支持される送風部と， 
を有し，
かつ，
前記挟持部の外側部分および前記風向調整体へ向けて前記送風部から気流を送風することができ，
かつ，
前記送風部から前記風向調整体へ向けて送風された気流を前記風向調整体によって分流することができ，
かつ，
前記風向調整体によって分流された前記気流を前記着用物の内側へ導くことができる
装置。
【請求項１５】
人体が着用する着用物によって支持されることができる腕と，
前記腕によって支持される風向調整体と，
前記腕によって支持される送風部と， 
前記送風部と前記風向調整体の間又は
前記送風部と前記腕の間
に設けられた可動部と，
を有し，
かつ，
前記可動部を動かすことによって
前記送風部から前記風向調整体へ向けて送風される気流の向きを調整することができ，
かつ，
前記送風部から前記風向調整体へ向けて送風された前記気流を前記風向調整体によって分流することができ，
かつ，
前記風向調整体によって分流された前記気流を前記着用物の内側へ導くことができる
装置。
【請求項１６】
人体が着用する着用物を挟持することによって前記着用物から支持されることができる挟持部と，
前記挟持部によって支持される風向調整体と，
前記挟持部によって支持される送風部と， 
前記送風部と前記風向調整体の間又は
前記送風部と前記挟持部の間
に設けられた可動部と，
を有し，
かつ，
前記可動部を動かすことによって
前記送風部から前記風向調整体へ向けて送風される気流の向きを調整することができ，
かつ，
前記送風部から前記風向調整体へ向けて送風された気流を前記風向調整体によって分流することができ，
かつ，
前記風向調整体によって分流された前記気流を前記着用物の内側へ導くことができる
装置。
【請求項１７】
前記風向調整体がウイングである請求項１１から１６のいずれかに記載の装置。
【請求項１８】
請求項１１から１７のいずれかに記載の装置に用いる前記腕又は前記挟持部を有する取付器具。
【手続補正書】
【提出日】平成30年3月12日(2018.3.12)
【手続補正１】
【補正対象書類名】特許請求の範囲
【補正対象項目名】請求項１５
【補正方法】変更
【補正の内容】
【請求項１５】
人体が着用する着用物によって支持されることができる腕と，
前記腕によって支持される風向調整体と，
前記腕によって支持される送風部と， 
前記送風部と前記腕の間に設けられた可動部と，
を有し，
かつ，
前記可動部を動かすことによって
前記送風部から前記風向調整体へ向けて送風される気流の向きを調整することができ，
かつ，
前記送風部から前記風向調整体へ向けて送風された前記気流を前記風向調整体によって分流することができ，
かつ，
前記風向調整体によって分流された前記気流を前記着用物の内側へ導くことができる
装置。
【手続補正２】
【補正対象書類名】特許請求の範囲
【補正対象項目名】請求項１６
【補正方法】変更
【補正の内容】
【請求項１６】
人体が着用する着用物を挟持することによって前記着用物から支持されることができる挟持部と，
前記挟持部によって支持される風向調整体と，
前記挟持部によって支持される送風部と， 
前記送風部と前記挟持部の間に設けられた可動部と，
を有し，
かつ，
前記可動部を動かすことによって
前記送風部から前記風向調整体へ向けて送風される気流の向きを調整することができ，
かつ，
前記送風部から前記風向調整体へ向けて送風された気流を前記風向調整体によって分流することができ，
かつ，
前記風向調整体によって分流された前記気流を前記着用物の内側へ導くことができる
装置。